(57)【特許請求の範囲】
【請求項１】
ユーザ機器デバイス（ＵＥ）であって、
第１のアンテナと通信する第１の無線機であって、前記第１の無線機は、第１の無線アクセス技術（ＲＡＴ）に従ってセルラ通信を実行するように構成されている、第１の無線機と、
第２のアンテナと通信する第２の無線機であって、前記第２の無線機は、第２のＲＡＴに従ってセルラ通信を実行するように構成されている、第２の無線機と、
前記第１の無線機及び前記第２の無線機に結合されたスイッチと、
前記スイッチに結合された第３のアンテナであって、前記スイッチの第１の状態は、前記第１の無線機と前記第３のアンテナとの間の通信を可能にし、前記スイッチの第２の状態は、前記第２の無線機と前記第３のアンテナとの間の通信を可能にする、第３のアンテナと、
前記第１の無線機及び前記第２の無線機に結合された１つ以上のプロセッサであって、前記１つ以上のプロセッサ、前記第１の無線機、及び前記第２の無線機は、音声及び／又はデータ通信を実行するように構成されている、１つ以上のプロセッサと、
を備え、前記１つ以上のプロセッサは、前記ＵＥに、
前記スイッチを介して前記第１の無線機に前記第３のアンテナを結合させ、
前記スイッチが前記第１の状態にある間、前記第１の無線機を介して、前記第１のＲＡＴに従って動作する第１のネットワークノードにアタッチする要求を送信させ、
前記スイッチが前記第１の状態にある間、前記第１の無線機を介して、前記ＵＥが前記第１のネットワークノード及び前記第２のＲＡＴに従って動作する第２のネットワークノードとの同時のダウンリンク（ＤＬ）接続を維持する能力を有することのインジケーションを送信させ、ここで、前記ＤＬ接続は前記第１の無線機及び前記第２の無線機を介して維持され、
前記スイッチを介して前記第２の無線機に前記第３のアンテナを結合させ、
前記スイッチが前記第２の状態にある間、前記第２の無線機を介して、前記第２のネットワークノードにアタッチする要求を送信させ、
前記第１の無線機を介して、前記第１のネットワークノード及び前記第２のネットワークノードとのデュアルコネクティビティ構成において前記第１のネットワークノードからアップリンク及びダウンリンク許可を受信させ、
前記第２の無線機を介して、前記第１のネットワークノード及び前記第２のネットワークノードとの前記デュアルコネクティビティ構成において前記第２のネットワークノードからアップリンク及びダウンリンク許可を受信させ、ここで、ダウンリンクサブフレームの一部は、前記第２のネットワークノードへの潜在的なアップリンク送信を収容するために、前記第１のネットワークノードからのダウンリンク送信のためには利用不可能である、
ように構成されている、ＵＥ。
【請求項２】
前記１つ以上のプロセッサは、前記ＵＥに、前記第２の無線機を介して、前記第２のネットワークノードから動的アップリンクリソース割当を受信させるように更に構成されている、請求項１に記載のＵＥ。
【請求項３】
前記動的アップリンクリソース割当は、前記第１のネットワークノードから受信されたアップリンク許可に適合する、請求項２に記載のＵＥ。
【請求項４】
前記１つ以上のプロセッサは、前記ＵＥに、前記第２の無線機を介して、前記第２のネットワークノードからアップリンクハイブリッド自動再送要求（ＨＡＲＱ）スケジュールを受信させるように更に構成されている、請求項１に記載のＵＥ。
【請求項５】
前記アップリンクＨＡＲＱスケジュールは、前記第１のネットワークノードから受信された前記アップリンク許可に適合する、請求項４に記載のＵＥ。
【請求項６】
前記１つ以上のプロセッサは、前記ＵＥに、前記第２の無線機を介して、前記第２のネットワークノードからダウンリンク送信を受信するのと実質的に同時に、前記第１の無線機を介して、前記第１のネットワークノードからダウンリンク送信を受信させるように更に構成されている、請求項１に記載のＵＥ。
【請求項７】
前記１つ以上のプロセッサは、前記ＵＥに、
前記スイッチの状態を前記第１の状態から前記第２の状態に切り替えさせ、
前記第２の無線機を介して、前記第２のネットワークノードから受信されたデータと関連付けられたハイブリッド自動再送要求（ＨＡＲＱ）確認応答／否定応答を送信させる、
ように更に構成されている、請求項１に記載のＵＥ。
【請求項８】
前記アップリンク及びダウンリンク許可は、アップリンク及びダウンリンク送信の半静的パターンを含み、
前記１つ以上のプロセッサは、前記ＵＥに、
前記第２の無線機を介して、前記第２のネットワークノードから動的アップリンクリソース割当を受信させ、前記動的アップリンクリソース割当は、前記第１のネットワークノードから受信されたアップリンク許可の前記半静的パターンに適合する、
ように更に構成されている、請求項１に記載のＵＥ。
【請求項９】
前記第１のＲＡＴは、ＬＴＥであり、
前記第２のＲＡＴは、５Ｇ  ＮＲである、請求項１に記載のＵＥ。
【請求項１０】
メモリと、
前記メモリと通信する少なくとも１つのプロセッサと、を備え、前記少なくとも１つのプロセッサは、
ロングタームエボリューション（ＬＴＥ）無線アクセス技術（ＲＡＴ）に従って動作する第１のネットワークノードにアタッチする要求を、前記少なくとも１つのプロセッサと通信する送信チェーンを介して送信する命令を生成し、
前記第１のネットワークノード及び５Ｇ新無線（５Ｇ  ＮＲ）ＲＡＴに従って動作する第２のネットワークノードとの同時のダウンリンク（ＤＬ）接続が維持されることができることのインジケーションを、前記送信チェーンを介して前記第１のネットワークノードへ送信する命令を生成し、ここで、前記ＤＬ接続は、前記少なくとも１つのプロセッサと通信する第１の受信チェーンと前記少なくとも１つのプロセッサと通信する第２の受信チェーンとを介して維持され、
前記第２のネットワークノードにアタッチする要求を、前記送信チェーンを介して前記第２のネットワークノードへ送信する命令を生成し、
前記第１の受信チェーンを介して、前記第１のネットワークノード及び前記第２のネットワークノードとのデュアルコネクティビティ構成において前記第１のネットワークノードからアップリンク及びダウンリンク許可を受信し、
前記第２の受信チェーンを介して、前記第１のネットワークノード及び前記第２のネットワークノードとの前記デュアルコネクティビティ構成において前記第２のネットワークノードからアップリンク及びダウンリンク許可を受信し、ここで、ダウンリンクサブフレームの一部は、前記第２のネットワークノードへの潜在的なアップリンク送信を収容するために、前記第１のネットワークノードからのダウンリンク送信のためには利用不可能である、
ように構成されている、装置。
【請求項１１】
前記少なくとも１つのプロセッサは、前記第２のネットワークノードから動的アップリンクリソース割当を受信するように更に構成され、前記動的アップリンクリソース割当は、前記第１のネットワークノードから受信されたアップリンク許可に適合する、請求項１０に記載の装置。
【請求項１２】
前記少なくとも１つのプロセッサは、前記第２のネットワークノードからアップリンクハイブリッド自動再送要求（ＨＡＲＱ）スケジュールを受信するように更に構成されている、請求項１０に記載の装置。
【請求項１３】
前記アップリンクＨＡＲＱスケジュールは、前記第１のネットワークノードから受信された前記アップリンク許可に適合する、請求項１２に記載の装置。
【請求項１４】
ユーザ機器デバイス（ＵＥ）に、
第１の無線アクセス技術（ＲＡＴ）に従って動作する第１のネットワークノードにアタッチする要求を、前記ＵＥの送信チェーンを介して送信する命令を生成させ、
前記ＵＥが前記第１のネットワークノード及び第２のＲＡＴに従って動作する第２のネットワークノードとの同時のダウンリンク（ＤＬ）接続を維持する能力を有することのインジケーションを、前記送信チェーンを介して前記第１のネットワークノードへ送信する命令を生成させ、ここで、前記ＤＬ接続は、前記ＵＥの第１の受信チェーンと前記ＵＥの第２の受信チェーンとを介して維持され、
前記第２のネットワークノードにアタッチする要求を、前記送信チェーンを介して前記第２のネットワークノードへ送信する命令を生成させ、
前記第１の受信チェーンを介して、前記第１のネットワークノード及び前記第２のネットワークノードとのデュアルコネクティビティ構成において前記第１のネットワークノードからアップリンク及びダウンリンク許可を受信させ、
前記第２の受信チェーンを介して、前記第１のネットワークノード及び前記第２のネットワークノードとの前記デュアルコネクティビティ構成において前記第２のネットワークノードからアップリンク及びダウンリンク許可を受信させ、ここで、ダウンリンクサブフレームの一部は、前記第２のネットワークノードへの潜在的なアップリンク送信を収容するために、前記第１のネットワークノードからのダウンリンク送信のためには利用不可能である、
ように処理回路によって実行可能なプログラム命令を記憶した非一時的コンピュータ可読メモリ媒体。
【請求項１５】
前記プログラム命令は、前記ＵＥに、前記第２のネットワークノードから動的アップリンクリソース割当を受信させるように処理回路によって更に実行可能であり、前記動的アップリンクリソース割当は、前記第１のネットワークノードから受信されたアップリンク許可に適合する、請求項１４に記載の非一時的コンピュータ可読メモリ媒体。
【請求項１６】
前記プログラム命令は、前記ＵＥに、前記第２のネットワークノードからアップリンクハイブリッド自動再送要求（ＨＡＲＱ）スケジュールを受信させるように処理回路によって更に実行可能であり、前記アップリンクＨＡＲＱスケジュールは、前記第１のネットワークノードから受信された前記アップリンク許可に適合する、請求項１４に記載の非一時的コンピュータ可読メモリ媒体。
【請求項１７】
前記プログラム命令は更に、前記ＵＥに、前記第２のネットワークノードからダウンリンク送信を受信するのと実質的に同時に、前記第１のネットワークノードからダウンリンク送信を受信させるように処理回路によって実行可能である、請求項１４に記載の非一時的コンピュータ可読メモリ媒体。
【請求項１８】
前記第１のＲＡＴは、ＬＴＥであり、
前記第２のＲＡＴは、５Ｇ  ＮＲである、請求項１４に記載の非一時的コンピュータ可読メモリ媒体。
【発明の詳細な説明】
【技術分野】
【０００１】
本出願は、無線デバイスに関し、特に、現在の無線アクセス技術及び次世代無線アクセス技術との同時接続を確立及び維持する無線デバイスについての装置、システム、及び方法に関する。
【背景技術】
【０００２】
無線通信システムの使用が急速に増大している。更に、インターネット及びマルチメディアコンテンツなどのデータの送信をも含むように、音声専用通信から無線通信技術が発展してきた。よって、本分野における改善が望まれる。
【発明の概要】
【０００３】
実施形態は、無線デバイスのアタッチを実行して、次世代ネットワークノード（例えば、第５世代新無線（fifth generation new radio、５Ｇ  ＮＲ）ネットワークノード）及びレガシネットワークノード（例えば、ＬＴＥネットワークノード）と同時（又は、実質的に同時）に接続する装置、システム、及び方法に関する。
【０００４】
いくつかの実施形態に従って、無線デバイスは、第１のアンテナと通信する第１の無線機及び第２のアンテナと通信する第２の無線機を含んでもよい。第１の無線機は、第１の無線アクセス技術（radio access technology、ＲＡＴ）に従ってセルラ通信を実行するように構成されてもよく、第２の無線機は、第２のＲＡＴに従ってセルラ通信を実行するように構成されてもよい。無線デバイスは、第１の無線機及び第２の無線機に結合されたスイッチ、並びにスイッチに結合された第３のアンテナをも含んでもよい。スイッチの第１の状態は、第１の無線機と第３のアンテナとの間の通信を可能にすることができ、スイッチの第２の状態は、第２の無線機と第３のアンテナとの間の通信を可能にすることができる。加えて、無線デバイスは、第１の無線機及び第２の無線機に結合された１つ以上のプロセッサを含んでもよく、１つ以上のプロセッサ、第１の無線機、及び第２の無線機は、第１のＲＡＴ及び第２のＲＡＴそれぞれに従って音声及び／又はデータ通信を実行するように構成されてもよい。
【０００５】
いくつかの実施形態に従って、無線デバイスは、スイッチが第１の状態にある間、第１の無線機を介して、第１のＲＡＴに従って動作する第１のネットワークノードにアタッチする要求を送信し、スイッチが第１の状態にある間、第１の無線機を介して、無線デバイスが第１のネットワークノード及び第２のＲＡＴに従って動作する第２のネットワークノードとの実質的に同時の接続を維持する能力を有することのインジケーションを送信するように構成されてもよい。無線デバイスはまた、スイッチを介して第２の無線機に第３のアンテナを結合し、スイッチが第２の状態にある間、第２の無線機を介して、第２のネットワークノードにアタッチする要求を送信するように構成されてもよい。要求は、無線デバイスが第１のネットワークノード及び第２のネットワークノードとの実質的に同時の接続を維持する能力を有することのインジケーションを含んでもよい。更に、無線デバイスは、第１の無線機を介して、第１のネットワークノード及び第２のネットワークノードとのデュアルコネクティビティが確立されたことのインジケーションを受信するように構成されてもよい。
【０００６】
いくつかの実施形態では、無線デバイスは、第１の無線機を介して、第１のネットワークノードからアップリンク及びダウンリンク許可を受信するように更に構成されてもよい。加えて、無線デバイスは、第２の無線機を介して、第２のネットワークノードから動的アップリンクリソース割当を受信するように構成されてもよい。いくつかの実施形態では、動的アップリンクリソース割当は、第１のネットワークノードから受信されたアップリンク許可に適合してもよい（例えば、それを可能にし、及び／又はそれに対してスケジュールする）。更に、無線デバイスは、第２の無線機を介して、第２のネットワークノードからアップリンクハイブリッド自動再送要求（ＨＡＲＱ）スケジュールを受信するように構成されてもよい。いくつかの実施形態では、アップリンクＨＡＲＱスケジュールは、第１のネットワークノードから受信されたアップリンク許可に適合してもよい（例えば、それを可能にし、及び／又はそれに対してスケジュールする）。
【０００７】
本明細書で説明される技術は、それらに限定されないが、携帯電話、タブレットコンピュータ、ウェアラブルコンピューティングデバイス、ポータブルメディアプレイヤ、及び様々な他のコンピューティングデバイスのいずれかを含む、いくつかの異なるタイプのデバイスにおいて実装されてもよく、及び／又はそれらと共に使用されてもよい。
【０００８】
この発明の概要は、この書類において説明される主題のいくつかの簡易的な概要を提供することを意図している。したがって、上記説明された特徴は、実施例にすぎず、いずれかの方式において本明細書で説明される主題の範囲及び趣旨を狭めると解釈されるべきでないことを認識されよう。本明細書で説明される主題の他の特徴、態様、及び利点は、以下の詳細な説明、図面、及び特許請求の範囲から明らかになるであろう。
【図面の簡単な説明】
【０００９】
様々な実施形態の以下の詳細な説明が以下の図面と共に考慮されるとき、本主題のより良好な理解を得ることができる。
【００１０】
【図１】いくつかの実施形態に従った、実施例の無線通信システムを例示する。
【００１１】
【図２】いくつかの実施形態に従った、ユーザ機器（user equipment、ＵＥ）デバイスと通信する基地局（base station、ＢＳ）を例示する。
【００１２】
【図３】いくつかの実施形態に従った、ＵＥの実施例のブロック図を例示する。
【００１３】
【図４】いくつかの実施形態に従った、ＢＳの実施例のブロック図を例示する。
【００１４】
【図５】いくつかの実施形態に従った、セルラ通信回路の実施例のブロック図を例示する。
【００１５】
【図６Ａ】ＥＰＣネットワーク、ＬＴＥ基地局（ｅＮＢ）、及び５Ｇ  ＮＲ基地局（ｇＮＢ）の間の接続の実施例を例示する。
【００１６】
【図６Ｂ】ｅＮＢ及びｇＮＢについてのプロトコルスタックの実施例を例示する。
【００１７】
【図７】いくつかの実施形態に従った、ＵＥがｅＮＢ及びｇＮＢに実質的に同時に接続する技術の実施例のシグナリング図を例示する。
【００１８】
【図８】いくつかの実施形態に従った、ＵＥ確認応答サブフレームを動的にスケジュールする方法の実施例のブロック図を例示する。
【００１９】
【図９】実施形態に従った、５Ｇ  ＮＲに従った通信のためのフレームスケジュールの実施例を例示する。
【００２０】
【図１０】いくつかの実施形態に従った、１つ以上のネットワークへの実質的な同時アタッチと共に、ＵＥに対してＵＥ確認応答サブフレームを動的にスケジュールする方法の実施例のブロック図を例示する。
【００２１】
【図１１】いくつかの実施形態に従った、５Ｇ  ＮＲ及びＬＴＥに従った実質的な同時通信のためのフレームスケジュールの実施例を例示する。
【００２２】
【図１２】いくつかの実施形態に従った、５Ｇ  ＮＲ及びＬＴＥに従った実質的な同時通信のためのフレームスケジュールの別の実施例を例示する。
【００２３】
本明細書で説明される特徴は、様々な修正及び代替的な形態を受けることがあるが、その特定の実施形態を実施例として図面において示され、本明細書で詳細に説明される。しかしながら、図面及びそれらに対する詳細な説明は、開示されている特定の形態に限定することを意図するものではなく、逆に、その意図は、添付の「特許請求の範囲」によって定義されるような本主題の趣旨及び範囲内に収まる、全ての修正、均等物、及び代替物を包含することである点を理解されたい。
【発明を実施するための形態】
【００２４】
用語
以下は、本開示で使用される用語の用語集である。
【００２５】
記憶媒体−様々な種類の非一時的メモリデバイス又は記憶デバイスのうちの任意のもの。用語「記憶媒体」は、インストール媒体、例えば、ＣＤ−ＲＯＭ、フロッピーディスク若しくはテープデバイス、ＤＲＡＭ、ＤＤＲ  ＲＡＭ、ＳＲＡＭ、ＥＤＯ  ＲＡＭ、Ｒａｍｂｕｓ  ＲＡＭなどの、コンピュータシステムメモリ又はランダムアクセスメモリ、フラッシュ、磁気媒体、例えばハードドライブ、又は光記憶装置などの、不揮発性メモリ、レジスタ、又はその他の同様の種類のメモリ要素などを含むことが意図されている。記憶媒体は、他の種類の非一時的メモリ、並びにそれらの組み合わせも含んでもよい。加えて、記憶媒体は、プログラムが実行される第１のコンピュータシステムに位置してもよく、又はインターネットなどのネットワークを通じて第１のコンピュータシステムに接続する、第２の異なるコンピュータシステムに位置してもよい。後者の例では、第２のコンピュータシステムは、実行のために、プログラム命令を第１のコンピュータシステムに提供することができる。用語「記憶媒体」は、異なる位置、例えば、ネットワークを通じて接続された異なるコンピュータシステムに存在することができる２つ以上の記憶媒体を含んでもよい。記憶媒体は、１つ以上のプロセッサによって実行することができるプログラム命令（例えば、コンピュータプログラムとして具現化された）を記憶してもよい。
【００２６】
搬送媒体−上述のような記憶媒体、並びにバス、ネットワークなどの物理的伝送媒体、及び／又は電気信号、電磁信号、若しくはデジタル信号などの信号を伝送する他の物理的伝送媒体。
【００２７】
プログラム可能ハードウェア要素−プログラム可能相互接続を介して接続された複数のプログラム可能機能ブロックを備える、様々なハードウェアデバイスを含む。例としては、ＦＰＧＡ（Field Programmable Gate Array、フィールドプログラマブルゲートアレイ）、ＰＬＤ（Programmable Logic Device、プログラム可能論理デバイス）、ＦＰＯＡ（Field Programmable Object Array、フィールドプログラマブルオブジェクトアレイ）、及びＣＰＬＤ（Ｃｏｍｐｌｅｘ  ＰＬＤ）を含む。プログラム可能機能ブロックは、細かい粒度のもの（組み合わせロジック又はルックアップテーブル）から粗い粒度のもの（算術ロジックユニット又はプロセッサコア）にまで及ぶことができる。プログラム可能ハードウェア要素はまた、「再構成可能論理」と称されることがある。
【００２８】
コンピュータシステム−パーソナルコンピュータシステム（personal computer system、ＰＣ）、メインフレームコンピュータシステム、ワークステーション、ネットワーク装置、インターネット装置、携帯情報端末（personal digital assistant、ＰＤＡ）、テレビシステム、グリッドコンピューティングシステム、又はその他のデバイス若しくはデバイスの組み合わせを含む様々な種類のコンピューティング又は処理システムのうちのいずれか。一般的に、用語「コンピュータシステム」は、記憶媒体からの命令を実行する少なくとも１つのプロセッサを有する任意のデバイス（又はデバイスの組み合わせ）を包含するように広義に定義することができる。
【００２９】
ユーザ機器（ＵＥ）（又は「ＵＥデバイス」）−移動式又は携帯式であり、無線通信を実行する様々な種類のコンピュータシステムデバイスのうちのいずれか。ＵＥデバイスの例としては、携帯電話若しくはスマートフォン（例えば、ｉＰｈｏｎｅ（商標）、Ａｎｄｒｏｉｄ（商標）ベースの電話）、ポータブルゲームデバイス（例えば、Ｎｉｎｔｅｎｄｏ  ＤＳ（商標）、ＰｌａｙＳｔａｔｉｏｎ  Ｐｏｒｔａｂｌｅ（商標）、Ｇａｍｅｂｏｙ  Ａｄｖａｎｃｅ（商標）、ｉＰｈｏｎｅ（商標））、ラップトップ、ウェアラブルデバイス（例えば、スマートウォッチ、スマートグラス）、ＰＤＡ、ポータブルインターネットデバイス、音楽プレーヤ、データ記憶デバイス、又は他のハンドヘルドデバイスなどが挙げられる。一般に、用語「ＵＥ」又は「ＵＥデバイス」は、ユーザによって容易に持ち運ばれ、無線通信が可能なあらゆる電子、コンピューティング及び／又は電気通信デバイス（又はデバイスの組み合わせ）を包含するように広義に定義することができる。
【００３０】
基地局−用語「基地局」は、その通常の意味の全範囲を有し、少なくとも、固定場所に設置され、無線電話システム又は無線システムの一部として通信するために使用される無線通信局を含む。
【００３１】
処理要素−ユーザ機器又はセルラネットワークデバイスなどのデバイス内で機能を実行することが可能な、様々な要素又は要素の組み合わせを指す。処理要素は、例えば、プロセッサ及び関連するメモリ、個別のプロセッサコアの一部又は回路、プロセッサコア全体、プロセッサアレイ、ＡＳＩＣ（特定用途向け集積回路）などの回路、フィールドプログラマブルゲートアレイ（ＦＰＧＡ）などのプログラム可能なハードウェア要素、並びに上述のものの任意の様々な組み合わせを含んでもよい。
【００３２】
チャネル−送信側（送信機）から受信機に情報を伝達するために使用される媒体。用語「チャネル」の特性は、異なる無線プロトコルによって異なる場合があるため、用語「チャネル」は、本明細書で使用されるとき、その用語が関連して使用されるデバイスの種類の標準に合致する方式で使用されていると、見なすことができる点に留意されたい。いくつかの標準では、チャネル幅は、（例えば、デバイス性能、帯域条件等に応じて）可変とすることができる。例えば、ＬＴＥは、１．４ＭＨｚ〜２０ＭＨｚのスケーラブルなチャネル帯域幅をサポートすることができる。対照的に、ＷＬＡＮのチャネル幅は２２ＭＨｚであってもよく、Ｂｌｕｅｔｏｏｔｈのチャネル幅が１ＭＨｚであってもよい。他のプロトコル及び標準は、異なるチャネルの定義を含んでもよい。更に、いくつかの標準は、複数の種類のチャネル、例えば、アップリンク若しくはダウンリンクのための異なるチャネル、及び／又は、データ、制御情報などの異なる用途のための異なるチャネルを定義し、使用することができる。
【００３３】
帯域−「帯域」という用語は、その通常の意味の全範囲を有しており、少なくとも、チャネルが使用される又は同じ目的のために確保しておくスペクトルの部分（例えば、無線周波数スペクトル）が含まれる。
【００３４】
自動的に−ユーザ入力が、アクション又は動作を直接指定若しくは実行することなく、コンピュータシステム（例えば、コンピュータシステムによって実行されるソフトウェア）又はデバイス（例えば、回路機構、プログラム可能ハードウェア要素、ＡＳＩＣなど）によって、それらのアクション又は動作が実行されることを指す。したがって、用語「自動的」は、ユーザが入力を提供して操作を直接実行するような、ユーザによって手動で実行され又は指定される操作とは対照的である。自動手順は、ユーザが提供する入力によって開始されてもよいが、「自動的に」実行される後続のアクションはユーザによって指定されるものではなく、すなわち、実行するべき各アクションをユーザが指定する「手動」では実行されない。例えば、ユーザが、各フィールドを選択し、情報を明示する入力を提供することによって（例えば、情報のタイピング、チェックボックスの選択、ラジオボタンの選択などによって）、電子フォームに記入することは、コンピュータシステムが、ユーザアクションに応じて、フォームを更新しなければならない場合であっても、手動でフォームに記入することである。フォームは、コンピュータシステムによって自動的に記入されてもよく、この場合、コンピュータシステム（例えば、コンピュータシステム上で実行されるソフトウェア）は、そのフィールドに対する回答を指定するユーザ入力を何ら使用することなく、そのフォームのフィールドを分析して、フォームに記入する。上述のように、ユーザは、フォームの自動記入を呼び出すことができるが、フォームの実際の記入には関与しない（例えば、ユーザがフィールドに対する回答を手動で指定することはなく、むしろ、それらは自動的に完了される）。本明細書は、ユーザが取った動作に応じて自動的に実行される様々な動作の例を提供する。
【００３５】
おおよそ−ほとんど正確又は正確である値を指す。例えば、「おおよそ」は、正確な（又は所望の）値の１〜１０パーセント以内の値を指すことができる。ただし、実際の閾値（又は許容差）は、用途に依存することがあることに留意すべきである。例えば、いくつかの実施形態では、「おおよそ」は、ある特定の又は所望の値の０．１％以内を意味することがあり、他の様々な実施形態では、閾値は、所望により、又は特定の用途によって必要に応じて、例えば、２％、３％、５％、等であることがある。
【００３６】
種々の構成要素は、タスク又はタスク群を実行「するように構成されている（configured to）」と説明される場合がある。そのような文脈において「構成されている」は、動作中のタスクを実行する「構造を有する」ことを一般的に意味する広範な説明である。このように、要素は、タスクを現在実行していない場合であっても、そのタスクを実行するように構成することができる（例えば、電気導体のセットは、２つのモジュールが接続されていなくても、モジュールを別のモジュールへ電気的に接続するように構成されていてもよい）。いくつかの文脈において、「構成されている」は、動作中のタスクを実行する「回路を有する」ことを一般的に意味する広範な説明であってもよい。このように、要素は、現在オンでなくても、そのタスクを実行するように構成することができる。一般に、「構成されている」に対応する構造を形成する回路は、ハードウェア回路を含んでもよい。
【００３７】
本明細書の記載では、便宜上、タスクを実行するとして様々な構成要素を説明することができる。そのような説明は、語句「構成されている」を含むように解釈されるべきである。１つ以上のタスクを実行するように構成された構成要素を記述することは、その構成要素に関する解釈に、米国特許法第１１２条（ｆ）が行使されないことを、明示的に意図するものである。
図１及び図２−通信システム
【００３８】
図１は、いくつかの実施形態に従った、簡易化された実施例の無線通信システムを例示する。図１のシステムは、可能なシステムの１つの実施例にすぎず、本開示の特徴が、要望に応じて、様々なシステムのいずれかにおいて実装されてもよいことに留意されたい。
【００３９】
示されるように、実施例の無線通信システムは、送信媒体を通じて１つ以上のユーザデバイス１０６Ａ、１０６Ｂなどから１０６Ｎと通信する基地局１０２Ａを含む。ユーザデバイスの各々は、明細書で「ユーザ機器」（ＵＥ）と称されてもよい。よって、ユーザデバイス１０６は、ＵＥ又はＵＥデバイスと称される。
【００４０】
基地局（ＢＳ）１０２Ａは、ベーストランシーバ基地局（base transceiver station、ＢＴＳ）又はセルサイト（「セルラ基地局」）であってもよく、ＵＥ１０６Ａ〜１０６Ｎとの無線通信を可能にするハードウェアを含んでもよい。
【００４１】
基地局の通信エリア（又は、カバレッジエリア）は、「セル」と称されてもよい。基地局１０２Ａ及びＵＥ１０６は、様々な無線アクセス技術（ＲＡＴ）のいずれかを使用して、送信媒体を通じて通信するように構成されてもよく、ＲＡＴは、無線通信技術、又はＧＳＭ、ＵＭＴＳ（例えば、ＷＣＤＭＡ若しくはＴＤ−ＳＣＤＭＡエアインタフェースと関連付けられた）、ＬＴＥ、ＬＴＥ−Ａｄｖａｎｃｅｄ（LTE-Advanced、ＬＴＥ−Ａ）、５Ｇ新無線（５Ｇ  ＮＲ）、ＨＳＰＡ、３ＧＰＰ２  ＣＤＭＡ２０００（例えば、１ｘＲＴＴ、１ｘＥＶ−ＤＯ、ＨＲＰＤ、ｅＨＲＰＤ）などの電気通信標準とも称される。基地局１０２ＡがＬＴＥのコンテキストにおいて実装される場合、それは代わりに、「ｅＮｏｄｅＢ」すなわち「ｅＮＢ」と称されてもよいことに留意されたい。基地局１０２Ａが５Ｇ  ＮＲのコンテキストにおいて実装される場合、それは代わりに、「ｇＮｏｄｅＢ」すなわち「ｇＮＢ」と称されてもよいことに留意されたい。
【００４２】
示されるように、基地局１０２Ａはまた、ネットワーク１００（例えば、様々な実現性の中で、セルラサービスプロバイダのコアネットワーク、公衆交換電話網（public switched telephone network、ＰＳＴＮ）などの電気通信ネットワーク、及び／又はインターネット）と通信するように備えられてもよい。よって、基地局１０２Ａは、ユーザデバイスの間の通信及び／又はユーザデバイスとネットワーク１００との間の通信を促進することができる。特に、セルラ基地局１０２Ａは、ＵＥ１０６に、音声、ＳＭＳ、及び／又はデータサービスなど、様々な電気通信能力を提供することができる。
【００４３】
よって、同一又は異なるセルラ通信標準に従って動作する基地局１０２Ａ及び他の同様の基地局（基地局１０２Ｂ．．．１０２Ｎなど）は、セルのネットワークとして設けられてもよく、セルのネットワークは、１つ以上のセルラ通信標準を介して、広範囲の地理的エリアにわたって、ＵＥ１０６Ａ〜Ｎ及び同様のデバイスに、連続した又はほぼ連続した重複したサービスを提供することができる。
【００４４】
よって、基地局１０２Ａは、図１に例示されるように、ＵＥ１０６Ａ〜Ｎについての「サービングセル」としての役割を果たしてもよく、各々のＵＥ１０６は、「隣接セル」とも称されてもよい、１つ以上の他のセル（基地局１０２Ｂ〜Ｎ及び／又はいずれかの他の基地局によって設けられてもよい）から（及び、場合によっては、その通信範囲内で）信号を受信する能力をも有することができる。そのようなセルは、ユーザデバイスの間の通信及び／又はユーザデバイスとネットワーク１００との間の通信を促進する能力をも有することができる。そのようなセルは、「マクロ」セル、「ミクロ」セル、「ピコ」セル、及び／又は様々な他の粒度のサービスエリアサイズのいずれかを提供するセルを含んでもよい。例えば、図１に例示される基地局１０２Ａ〜Ｂは、マクロセルであってもよく、基地局１０２Ｎは、ミクロセルであってもよい。他の構成も可能である。
【００４５】
いくつかの実施形態では、基地局１０２Ａは、次世代基地局、例えば、５Ｇ新無線（５Ｇ  ＮＲ）基地局、すなわち「ｇＮＢ」であってもよい。いくつかの実施形態では、ｇＮＢは、レガシ進化型パケットコア（evolved packet core、ＥＰＣ）ネットワークに、及び／又はＮＲコア（NR core、ＮＲＣ）ネットワークに接続されてもよい。加えて、ｇＮＢセルは、１つ以上の遷移及び受信ポイント（transition and reception point、ＴＲＰ）を含んでもよい。加えて、５Ｇ  ＮＲに従って動作する能力を有するＵＥは、１つ以上のｇＮＢ内で１つ以上のＴＲＰに接続されてもよい。
【００４６】
ＵＥ１０６は、複数の無線通信標準を使用して通信する能力を有することができることに留意されたい。例えば、ＵＥ１０６は、少なくとも１つのセルラ通信プロトコル（例えば、ＧＳＭ、ＵＭＴＳ（例えば、ＷＣＤＭＡ（登録商標）又はＴＤ−ＳＣＤＭＡエアインタフェースと関連付けられた）、ＬＴＥ、ＬＴＥ−Ａ、５Ｇ  ＲＮ、ＨＳＰＡ、３ＧＰＰ２  ＣＤＭＡ２０００（例えば、１ｘＲＴＴ、１ｘＥＶ−ＤＯ、ＨＲＰＤ、ｅＨＲＰＤ）など）に加えて、無線ネットワーキング（例えば、Ｗｉ−Ｆｉ（登録商標））及び／又はピアツーピア無線通信プロトコル（例えば、Ｂｌｕｅｔｏｏｔｈ、Ｗｉ−Ｆｉピアツーピアなど）を使用して通信するように構成されてもよい。ＵＥ１０６は加えて又は代わりに、所望の場合、１つ以上のグローバルナビゲーションサテライトシステム（global navigational satellite system、ＧＮＳＳ、例えば、ＧＰＳ若しくはＧＬＯＮＡＳＳ）、１つ以上のモバイルテレビ放送標準（例えば、ＡＴＳＣ−Ｍ／Ｈ若しくはＤＶＢ−Ｈ）、及び／又はいずれかの他の無線通信プロトコルを使用して通信するように構成されてもよい。無線通信標準の他の組み合わせ（２つよりも多い無線通信標準を含む）も可能である。
【００４７】
図２は、いくつかの実施形態に従った、基地局１０２と通信するユーザ機器１０６（例えば、デバイス１０６Ａ〜１０６Ｎのうちの１つ）を例示する。ＵＥ１０６は、モバイルフォン、ハンドヘルドデバイス、コンピュータ、若しくはタブレットなどのセルラ通信能力を有するデバイス、又は事実上、いずれかのタイプの無線デバイスであってもよい。
【００４８】
ＵＥ１０６は、メモリに記憶されたプログラム命令を実行するように構成されたプロセッサを含んでもよい。ＵＥ１０６は、そのような記憶された命令を実行することによって、本明細書で説明される方法の実施形態のいずれかを実行してもよい。代わりに、又は加えて、ＵＥ１０６は、本明細書で説明される方法の実施形態のいずれか、又は本明細書で説明される方法の実施形態のいずれかの任意の部分を実行するように構成された、ＦＰＧＡ（フィールドプログラマブルゲートアレイ）などのプログラム可能ハードウェア要素を含んでもよい。
【００４９】
ＵＥ１０６は、１つ以上の無線通信プロトコル又は技術を使用して通信する１つ以上のアンテナを含んでもよい。いくつかの実施形態では、ＵＥ１０６は、単一の共有無線機を使用して、例えば、ＣＤＭＡ２０００（１ｘＲＴＴ／１ｘＥＶ−ＤＯ／ＨＲＰＤ／ｅＨＲＰＤ）若しくはＬＴＥを使用して、及び／又は単一の共有無線機を使用して、ＧＳＭ若しくはＬＴＥを使用して通信するように構成されてもよい。共有無線機は、無線通信を実行する、単一のアンテナに結合してもよく、又は複数のアンテナ（例えば、ＭＩＭＯのための）に結合してもよい。概して、無線機は、ベースバンドプロセッサ、アナログＲＦ信号処理回路（例えば、フィルタ、ミキサ、発振器、増幅器などを含む）、又はデジタル処理回路（例えば、デジタル変調と共に他のデジタル処理のための）のいずれかの組み合わせを含んでもよい。同様に、無線機は、上述したハードウェアを使用して１つ以上の受信及び送信チェーンを実装してもよい。例えば、ＵＥ１０６は、上記議論されたものなど、複数の無線通信技術の間で受信及び／又は送信チェーンの１つ以上の部分を共有してもよい。
【００５０】
いくつかの実施形態では、ＵＥ１０６は、それが通信するように構成された無線通信プロトコルごとの送信及び／又は受信チェーン（例えば、別個のアンテナ及び他の無線機構成要素を含む）を含んでもよい。更なる実現性として、ＵＥ１０６は、複数の無線通信プロトコルの間で共有される１つ以上の無線機、及び単一の無線通信プロトコルによって排他的に使用される１つ以上の無線機を含んでもよい。例えば、ＵＥ１０６は、ＬＴＥ又は５Ｇ  ＮＲ（又は、ＬＴＥ若しくは１ｘＲＴＴ、又はＬＴＥ若しくはＧＳＭ）のいずれかを使用して通信する共有無線機、並びにＷｉ−Ｆｉ及びＢｌｕｅｔｏｏｔｈの各々を使用して通信する別個の無線機を含んでもよい。他の構成も可能である。
図３−ＵＥのブロック図
【００５１】
図３は、いくつかの実施形態に従った、通信デバイス１０６の実施例の簡易ブロック図を例示する。図３の通信デバイスのブロック図は、可能な通信デバイスの１つの実施例にすぎないことに留意されたい。実施形態に従って、通信デバイス１０６は、他のデバイスの中で、ユーザ機器（ＵＥ）デバイス、モバイルデバイス若しくはモバイル基地局、無線デバイス若しくは無線基地局、デスクトップコンピュータ若しくはコンピューティングデバイス、モバイルコンピューティングデバイス（例えば、ラップトップ、ノートブック、若しくはポータブルコンピューティングデバイス）、タブレット、及び／又はデバイスの組み合わせであってもよい。示されるように、通信デバイス１０６は、主要な機能を実行するように構成された構成要素のセット３００を含んでもよい。例えば、この構成要素のセットは、システムオンチップ（system on chip、ＳＯＣ）として実装されてもよく、ＳＯＣは、様々な目的のための部分を含んでもよい。代わりに、この構成要素のセット３００は、様々な目的のための別個の構成要素又は構成要素のグループとして実装されてもよい。要素のセット３００は、通信デバイス１０６の様々な他の回路に結合されてもよい（例えば、通信可能に、直接又は間接的に）。
【００５２】
例えば、通信デバイス１０６は、様々なタイプのメモリ（例えば、ＮＡＮＤフラッシュ３１０を含む）、コネクタＩ／Ｆ  ３２０などの入力／出力インタフェース（例えば、コンピュータシステムに通信するための、ドック、充電所、マイクロフォン、カメラ、キーボードなどの入力デバイス、スピーカなどの出力デバイス）、通信デバイス１０６と統合されてもよく、又は通信デバイス１０６と外部にあってもよいディスプレイ３６０、５Ｇ  ＮＲ、ＬＴＥ、ＧＳＭなどのためなどのセルラ通信回路３３０、並びに短距離・中距離無線通信回路３２９（例えば、Ｂｌｕｅｔｏｏｔｈ（商標）及びＷＬＡＮ回路）を含んでもよい。いくつかの実施形態では、通信デバイス１０６は、例えば、イーサネットのためのネットワークインタフェースカードなどの有線通信回路（図示せず）を含んでもよい。
【００５３】
セルラ通信回路３３０は、示されるようなアンテナ３３５及び３３６などの１つ以上のアンテナに結合してもよい（例えば、通信可能に、直接又は間接的に）。短距離・中距離無線通信回路３２９も、示されるようなアンテナ３３７及び３３８などの１つ以上のアンテナに結合してもよい（例えば、通信可能に、直接又は間接的に）。代わりに、短距離・中距離無線通信回路３２９は、アンテナ３３７及び３３８に結合する（例えば、通信可能に、直接又は間接的に）ことに加えて、又は代わりに、アンテナ３３５及び３３６に結合してもよい（例えば、通信可能に、直接又は間接的に）。短距離・中距離無線通信回路３２９及び／又はセルラ通信回路３３０は、多入力多出力（ＭＩＭＯ）構成など、複数の空間ストリームを受信及び／又は送信する複数の受信チェーン及び／又は複数の送信チェーンを含んでもよい。
【００５４】
いくつかの実施形態では、以下で更に説明されるように、セルラ通信回路３３０は、複数のＲＡＴのための専用受信チェーン（例えば、専用プロセッサ及び／又は無線機を含み、及び／又は通信可能に、直接又は間接的に結合される）を含んでもよい（例えば、ＬＴＥのための第１の受信チェーン及び５Ｇ  ＮＲのための第２の受信チェーン）。加えて、いくつかの実施形態では、セルラ通信回路３３０は、特定のＲＡＴに専用の無線機の間で切り替えることができる単一の送信チェーンを含んでもよい。例えば、第１の無線機は、第１のＲＡＴ、例えば、ＬＴＥに専用であってもよく、専用受信チェーンと、追加の無線機、例えば、第２のＲＡＴ、例えば、５Ｇ  ＮＲに専用であってもよい第２の無線機と共有される送信チェーンと通信してもよく、専用受信チェーン及び共有送信チェーンと通信してもよい。
【００５５】
通信デバイス１０６はまた、１つ以上のユーザインタフェース要素を含んでもよく、及び／又は１つ以上のユーザインタフェースと共に使用するように構成されてもよい。ユーザインタフェース要素は、ディスプレイ３６０（タッチスクリーンディスプレイであってもよい）、キーボード（別々のキーボードであってもよく、若しくはタッチスクリーンディスプレイの一部として実装されてもよい）、マウス、マイクロフォン及び／若しくはスピーカ、１つ以上のカメラ、１つ以上のボタン、並びに／又はユーザに情報を提供し、及び／若しくはユーザ入力を受信若しくは解釈する能力を有する様々な他の要素のいずれかなど、様々な要素のいずれかを含んでもよい。
【００５６】
通信デバイス１０６は、１つ以上のＵＩＣＣ（複数可）（ユニバーサル集積回路カード（複数可））カード３７０など、ＳＩＭ（加入者識別モジュール）機能性を含む１つ以上のスマートカード３７０を更に含んでもよい。
【００５７】
示されるように、ＳＯＣ３００は、プロセッサ（複数可）３０２を含んでもよく、プロセッサ（複数可）３０２は、通信デバイス１０６及びディスプレイ回路３０４に対してプログラム命令を実行することができ、通信デバイス１０６及びディスプレイ回路３０４は、グラフィック処理を実行することができ、ディスプレイ３６０にディスプレイ信号を提供することができる。プロセッサ（複数可）３０２は、メモリ管理ユニット（memory management unit、ＭＭＵ）３４０にも結合されてもよく、ＭＭＵ３４０は、プロセッサ（複数可）３０２からアドレスを受信し、それらのアドレスをメモリ（例えば、メモリ３０６、リードオンリメモリ（ＲＯＭ）３５０、ＮＡＮＤフラッシュメモリ３１０）並びに／又はディスプレイ回路３０４、短距離無線通信回路２２９、セルラ通信回路３３０、コネクタＩ／Ｆ３２０、及び／若しくはディスプレイ３６０などの他の回路若しくはデバイス内の位置に変換するように構成されてもよい。ＭＭＵ３４０は、メモリ保護及びページテーブル変換又はセットアップを実行するように構成されてもよい。いくつかの実施形態では、ＭＭＵ３４０は、プロセッサ（複数可）３０２の一部として含まれてもよい。
【００５８】
上記述べられたように、通信デバイス１０６は、無線及び／又は有線通信回路を使用して通信するように構成されてもよい。通信デバイス１０６は、第１のＲＡＴに従って第１のネットワークノードにアタッチする要求を送信し、無線デバイスが第１のネットワークノード及び第２のＲＡＴに従って動作する第２のネットワークノードとの実質的に同時の接続を維持する能力を有することのインジケーションを送信するように構成されてもよい。無線デバイスはまた、第２のネットワークノードにアタッチする要求を送信するように構成されてもよい。要求は、無線デバイスが第１のネットワークノード及び第２のネットワークノードとの実質的に同時の接続を維持する能力を有することのインジケーションを含んでもよい。更に、無線デバイスは、第１のネットワークノード及び第２のネットワークノードとのデュアルコネクティビティが確立されたことのインジケーションを受信するように構成されてもよい。
【００５９】
本明細書で説明されるように、通信デバイス１０６は、中継された通信チャネルを確立及び利用する上記特徴と共に、本明細書で説明される様々な他の技術を実装するハードウェア及びソフトウェア構成要素を含んでもよい。通信デバイス１０６のプロセッサ３０２は、例えば、記憶媒体（例えば、非一時的コンピュータ可読記憶媒体）に記憶されたプログラム命令を実行することによって、本明細書で説明される特徴の一部又は全てを実装するように構成されてもよい。代わりに（又は、加えて）、プロセッサ３０２は、ＦＰＧＡ（フィールドプログラマブルゲートアレイ）などのプログラム可能ハードウェア要素として、又はＡＳＩＣ（特定用途向け集積回路）として構成されてもよい。代わりに（又は、加えて）、通信デバイス１０６のプロセッサ３０２は、他の構成要素３００、３０４、３０６、３１０、３２０、３２９、３３０、３４０、３５０、３６０、３７０のうちの１つ以上と共に、本明細書で説明される特徴の一部又は全てを実装するように構成されてもよい。
【００６０】
加えて、本明細書で説明されるように、プロセッサ３０２は、１つ以上の処理要素を含んでもよい。よって、プロセッサ３０２は、プロセッサ３０２の機能を実行するように構成された１つ以上の集積回路（integrated circuit、ＩＣ）を含んでもよい。加えて、各々の集積回路は、プロセッサ（複数可）３０２の機能を実行するように構成された回路（例えば、第１の回路、第２の回路など）を含んでもよい。
【００６１】
更に、本明細書で説明されるように、セルラ通信回路３３０及び短距離無線通信回路３２９は各々、１つ以上の処理要素を含んでもよい。言い換えると、１つ以上の処理要素は、セルラ通信回路３３０に含まれてもよく、同様に、１つ以上の処理要素は、短距離無線通信回路３２９に含まれてもよい。よって、セルラ通信回路３３０は、セルラ通信回路３３０の機能を実行するように構成された１つ以上の集積回路（ＩＣ）を含んでもよい。加えて、各々の集積回路は、セルラ通信回路３３０の機能を実行するように構成された回路（例えば、第１の回路、第２の回路など）を含んでもよい。同様に、短距離無線通信回路３２９は、短距離無線通信回路３２９の機能を実行するように構成された１つ以上のＩＣを含んでもよい。加えて、各々の集積回路は、短距離無線通信回路３２９の機能を実行するように構成された回路（例えば、第１の回路、第２の回路など）を含んでもよい。
図４−基地局のブロック図
【００６２】
図４は、いくつかの実施形態に従った、基地局１０２の実施例のブロック図を例示する。図４の基地局は、可能な基地局の１つの実施例にすぎないことに留意されたい。示されるように、基地局１０２は、基地局１０２に対してプログラム命令を実行することができるプロセッサ（複数可）４０４を含んでもよい。プロセッサ（複数可）４０４は、メモリ管理ユニット（ＭＭＵ）４４０にも結合されてもよく、ＭＭＵ４４０は、プロセッサ（複数可）４０４からアドレスを受信し、それらのアドレスをメモリ（例えば、メモリ４６０及びリードオンリメモリ（ＲＯＭ）４５０）又は他の回路若しくはデバイス内の位置に変換するように構成されてもよい。
【００６３】
基地局１０２は、少なくとも１つのネットワークポート４７０を含んでもよい。ネットワークポート４７０は、電話ネットワークに結合し、図１及び２において上記説明されたようなＵＥデバイス１０６などの複数のデバイスに、電話ネットワークへのアクセスを提供するように構成されてもよい。
【００６４】
ネットワークポート４７０（又は、追加のネットワークポート）は加えて又は代わりに、セルラネットワーク、例えば、セルラサービスプロバイダのコアネットワークに結合するように構成されてもよい。コアネットワークは、ＵＥデバイス１０６などの複数のデバイスに、モビリティ関連サービス及び／又は他のサービスを提供することができる。いくつかのケースでは、ネットワークポート４７０は、コアネットワークを介して電話ネットワークに結合してもよく、及び／又はコアネットワークは、電話ネットワークを提供してもよい（例えば、セルラサービスプロバイダによってサービスされる他のＵＥデバイスの中で）。
【００６５】
いくつかの実施形態では、基地局１０２は、次世代基地局、例えば、５Ｇ新無線（５Ｇ  ＮＲ）基地局、すなわち、「ｇＮＢ」であってもよい。そのような実施形態では、基地局１０２は、レガシ進化型パケットコア（ＥＰＣ）ネットワークに、及び／又はＮＲコア（ＮＲＣ）ネットワークに接続されてもよい。加えて、基地局１０２は、５Ｇ  ＮＲセルと考えられてもよく、１つ以上の遷移及び受信ポイント（ＴＲＰ）を含んでもよい。加えて、５Ｇ  ＮＲに従って動作する能力を有するＵＥは、１つ以上のｇＮＢ内で１つ以上のＴＲＰに接続されてもよい。
【００６６】
基地局１０２は、少なくとも１つのアンテナ４３４、場合によっては、複数のアンテナを含んでもよい。少なくとも１つのアンテナ４３４は、無線送受信機として動作するように構成されてもよく、更に、無線機４３０を介してＵＥデバイス１０６と通信するように構成されてもよい。アンテナ４３４は、通信チェーン４３２を介して無線機４３０と通信する。通信チェーン４３２は、受信チェーン、送信チェーン、又はその両方であってもよい。無線機４３０は、それらに限定されないが、５Ｇ  ＮＲ、ＬＴＥ、ＬＴＥ−Ａ、ＧＳＭ、ＵＭＴＳ、ＣＤＭＡ２０００、Ｗｉ−Ｆｉなどを含む、様々な無線通信標準を介して通信するように構成されてもよい。
【００６７】
基地局１０２は、複数の無線通信標準を使用して、無線で通信するように構成されてもよい。いくつかの例では、基地局１０２は、基地局１０２が複数の無線通信技術に従って通信することを可能にすることができる、複数の無線機を含んでもよい。例えば、１つの実現性として、基地局１０２は、ＬＴＥに従って通信を実行するＬＴＥ無線機と共に、５Ｇ  ＮＲに従って通信を実行する５Ｇ  ＮＲ無線機を含んでもよい。そのようなケースでは、基地局１０２は、ＬＴＥ基地局及び５Ｇ  ＮＲ基地局の両方として動作する能力を有することができる。別の実現性として、基地局１０２は、複数の無線通信技術（例えば、５Ｇ  ＮＲ及びＷｉ−Ｆｉ、ＬＴＥ及びＷｉ−Ｆｉ、ＬＴＥ及びＵＭＴＳ、ＬＴＥ及びＣＤＭＡ２０００、ＵＭＴＳ及びＧＳＭなど）のいずれかに従って通信を実行する能力を有するマルチモード無線機を含んでもよい。
【００６８】
本明細書で後に更に説明されるように、ＢＳ１０２は、本明細書で説明される特徴の実装態様を実装又はサポートするハードウェア及びソフトウェア構成要素を含んでもよい。基地局１０２のプロセッサ４０４は、例えば、記憶媒体（例えば、非一時的コンピュータ可読記憶媒体）に記憶されたプログラム命令を実行することによって、本明細書で説明される方法の一部又は全ての実装態様を実装又はサポートするように構成されてもよい。代わりに、プロセッサ４０４は、ＦＰＧＡ（フィールドプログラマブルゲートアレイ）などのプログラム可能ハードウェア要素として、若しくはＡＳＩＣ（特定用途向け集積回路）として、又はそれらの組み合わせとして構成されてもよい。代わりに（又は、加えて）、ＢＳ１０２のプロセッサ４０４は、他の構成要素４３０、４３２、４３４、４４０、４５０、４６０、４７０のうちの１つ以上と共に、本明細書で説明される特徴の一部又は全ての実装態様を実装又はサポートするように構成されてもよい。
【００６９】
加えて、本明細書で説明されるように、プロセッサ（複数可）４０４は、１つ以上の処理要素から構成されてもよい。言い換えると、１つ以上の処理要素は、プロセッサ（複数可）４０４に含まれてもよい。よって、プロセッサ（複数可）４０４は、プロセッサ（複数可）４０４の機能を実行するように構成された１つ以上の集積回路（ＩＣ）を含んでもよい。加えて、各々の集積回路は、プロセッサ（複数可）４０４の機能を実行するように構成された回路（例えば、第１の回路、第２の回路など）を含んでもよい。
【００７０】
更に、本明細書で説明されるように、無線機４３０は、１つ以上の処理要素から構成されてもよい。言い換えると、１つ以上の処理要素は、無線機４３０に含まれてもよい。よって、無線機４３０は、無線機４３０の機能を実行するように構成された１つ以上の集積回路（ＩＣ）を含んでもよい。加えて、各々の集積回路は、無線機４３０の機能を実行するように構成された回路（例えば、第１の回路、第２の回路など）を含んでもよい。
図５：セルラ通信回路のブロック図
【００７１】
図５は、いくつかの実施形態に従った、セルラ通信回路の実施例の簡易ブロック図を例示する。図５のセルラ通信回路のブロック図は、可能なセルラ通信回路の１つの実施例にすぎないことに留意されたい。実施形態に従って、セルラ通信回路３３０は、上記説明された通信デバイス１０６などの通信デバイスに含まれてもよい。上記述べられたように、通信デバイス１０６は、他のデバイスの中で、ユーザ機器（ＵＥ）デバイス、モバイルデバイス若しくはモバイル基地局、無線デバイス若しくは無線基地局、デスクトップコンピュータ若しくはコンピューティングデバイス、モバイルコンピューティングデバイス（例えば、ラップトップ、ノートブック、若しくはポータブルコンピューティングデバイス）、タブレット、及び／又はデバイスの組み合わせであってもよい。
【００７２】
セルラ通信回路３３０は、示されたような（図３において）アンテナ３３５ａ〜ｂ及び３３６などの１つ以上のアンテナに結合してもよい（例えば、通信可能に、直接又は間接的に）。いくつかの実施形態では、セルラ通信回路３３０は、複数のＲＡＴについての専用受信チェーン（専用プロセッサ及び／又は無線機を含み、及び／又は例えば、通信可能に、直接又は間接的に結合される）を含んでもよい（例えば、ＬＴＥのための第１の受信チェーン及び５Ｇ  ＮＲのための第２の受信チェーン）。例えば、図５に示されるように、セルラ通信回路３３０は、モデム５１０及びモデム５２０を含んでもよい。モデム５１０は、第１のＲＡＴ、例えば、ＬＴＥ又はＬＴＥ−Ａなどに従って通信するように構成されてもよく、モデム５２０は、第２のＲＡＴ、例えば、５Ｇ  ＮＲなどに従って通信するように構成されてもよい。
【００７３】
示されるように、モデム５１０は、１つ以上のプロセッサ５１２及びプロセッサ５１２と通信するメモリ５１６を含んでもよい。モデム５１０は、無線周波数（radio frequency、ＲＦ）フロントエンド５３０と通信してもよい。ＲＦフロントエンド５３０は、無線信号を送信及び受信する回路を含んでもよい。例えば、ＲＦフロントエンド５３０は、受信回路（receive circuitry、ＲＸ）５３２及び送信回路（transmit circuitry、ＴＸ）５３４を含んでもよい。いくつかの実施形態では、受信回路５３２は、ダウンリンク（downlink、ＤＬ）フロントエンド５５０と通信してもよく、ＤＬフロントエンド５５０は、アンテナ３３５ａを介して無線信号を受信する回路を含んでもよい。
【００７４】
同様に、モデム５２０は、１つ以上のプロセッサ５２２及びプロセッサ５２２と通信するメモリ５２６を含んでもよい。モデム５２０は、ＲＦフロントエンド５４０と通信してもよい。ＲＦフロントエンド５４０は、無線信号を送信及び受信する回路を含んでもよい。例えば、ＲＦフロントエンド５４０は、受信回路５４２及び送信回路５４４を含んでもよい。いくつかの実施形態では、受信回路５４２は、ＤＬフロントエンド５６０と通信してもよく、ＤＬフロントエンド５６０は、アンテナ３３５ｂを介して無線信号を受信する回路を含んでもよい。
【００７５】
いくつかの実施形態では、スイッチ５７０は、アップリンク（uplink、ＵＬ）フロントエンド５７２に送信回路５３４を結合してもよい。加えて、スイッチ５７０は、ＵＬフロントエンド５７２に送信回路５４４を結合してもよい。ＵＬフロントエンド５７２は、アンテナ３３６を介して無線信号を送信する回路を含んでもよい。よって、セルラ通信回路３３０が第１のＲＡＴ（例えば、モデム５１０を介してサポートされるような）に従って送信する命令を受信するとき、スイッチ５７０は、第１のＲＡＴに従ってモデム５１０が信号を送信することを可能にする（例えば、送信回路５３４及びＵＬフロントエンド５７２を含む送信チェーンを介して）第１の状態に切り替えられてもよい。同様に、セルラ通信回路３３０が第２のＲＡＴ（例えば、モデム５２０を介してサポートされるような）に従って送信する命令を受信するとき、スイッチ５７０は、第２のＲＡＴに従ってモデム５２０が信号を送信することを可能にする（例えば、送信回路５４４及びＵＬフロントエンド５７２を含む送信チェーンを介して）第２の状態に切り替えられてもよい。
【００７６】
いくつかの実施形態では、セルラ通信回路３３０は、スイッチが第１の状態にある間、第１のモデムを介して、第１のＲＡＴに従って動作する第１のネットワークノードにアタッチする要求を送信し、スイッチが第１の状態にある間、第１のモデムを介して、無線デバイスが第１のネットワークノード及び第２のＲＡＴに従って動作する第２のネットワークノードとの実質的に同時の接続を維持する能力を有することのインジケーションを送信するように構成されてもよい。無線デバイスも、スイッチが第２の状態にある間、第２の無線機を介して、第２のネットワークノードにアタッチする要求を送信するように構成されてもよい。要求は、無線デバイスが第１のネットワークノード及び第２のネットワークノードとの実質的に同時の接続を維持する能力を有することのインジケーションを含んでもよい。更に、無線デバイスは、第１の無線機を介して、第１のネットワークノード及び第２のネットワークノードとのデュアルコネクティビティが確立されたことのインジケーションを受信するように構成されてもよい。
【００７７】
本明細書で説明されるように、モデム５１０は、中継された通信チャネルを確立及び利用する上記特徴と共に、本明細書で説明される様々な他の技術を実装するハードウェア及びソフトウェア構成要素を含んでもよい。プロセッサ５１２は、例えば、記憶媒体（例えば、非一時的コンピュータ可読記憶媒体）に記憶されたプログラム命令を実行することによって、本明細書で説明される特徴の一部又は全てを実装するように構成されてもよい。代わりに（又は、加えて）、プロセッサ５１２は、ＦＰＧＡ（フィールドプログラマブルゲートアレイ）などのプログラム可能ハードウェア要素として、又はＡＳＩＣ（特定用途向け集積回路）として構成されてもよい。代わりに（又は、加えて）、プロセッサ５１２は、他の構成要素５３０、５３２、５３４、５５０、５７０、５７２、３３５、及び３３６のうちの１つ以上と共に、本明細書で説明される特徴の一部又は全てを実装するように構成されてもよい。
【００７８】
加えて、本明細書で説明されるように、プロセッサ５１２は、１つ以上の処理要素を含んでもよい。よって、プロセッサ５１２は、プロセッサ５１２の機能を実行するように構成された１つ以上の集積回路（ＩＣ）を含んでもよい。加えて、各々の集積回路は、プロセッサ５１２の機能を実行するように構成された回路（例えば、第１の回路、第２の回路など）を含んでもよい。
【００７９】
本明細書で説明されるように、モデム５２０は、中継された通信チャネルを確立及び利用する上記特徴と共に、本明細書で説明される様々な他の技術を実装するハードウェア及びソフトウェア構成要素を含んでもよい。プロセッサ５２２は、例えば、記憶媒体（例えば、非一時的コンピュータ可読記憶媒体）に記憶されたプログラム命令を実行することによって、本明細書で説明される特徴の一部又は全てを実装するように構成されてもよい。代わりに（又は、加えて）、プロセッサ５２２は、ＦＰＧＡ（フィールドプログラマブルゲートアレイ）などのプログラム可能ハードウェア要素として、又はＡＳＩＣ（特定用途向け集積回路）として構成されてもよい。代わりに（又は、加えて）、プロセッサ５２２は、他の構成要素５４０、５４２、５４４、５５０、５７０、５７２、３３５、及び３３６のうちの１つ以上と共に、本明細書で説明される特徴の一部又は全てを実装するように構成されてもよい。
【００８０】
加えて、本明細書で説明されるように、プロセッサ５２２は、１つ以上の処理要素を含んでもよい。よって、プロセッサ５２２は、プロセッサ５２２の機能を実行するように構成された１つ以上の集積回路（ＩＣ）を含んでもよい。加えて、各々の集積回路は、プロセッサ５２２の機能を実行するように構成された回路（例えば、第１の回路、第２の回路など）を含んでもよい。
ＬＴＥによる５Ｇ非スタンドアロン動作
【００８１】
いくつかの実装態様では、第５世代（fifth generation、５Ｇ）無線通信は、最新の無線通信標準（例えば、ＬＴＥ）と同時に最初に展開される。例えば、ＬＴＥと５Ｇ新無線（５Ｇ  ＮＲ）との間のデュアルコネクティビティは、５Ｇ  ＮＲの初期展開の一部として指定されている。よって、図６Ａ〜Ｂに示されるように、進化型パケットコア（ＥＰＣ）ネットワーク６００は、最新のＬＴＥ基地局（例えば、ｅＮＢ６０２）と通信することを継続することができる。加えて、ｅＮＢ６０２は、５Ｇ  ＮＲ基地局（例えば、ｇＮＢ６０４）と通信することができ、ＥＰＣネットワーク６００とｇＮＢ６０４との間でデータを渡すことができる。よって、ＥＰＣネットワーク６００が使用（又は、再使用）されることができ、ｇＮＢ６０４は、ＵＥに対する特別な能力、例えば、ＵＥに増大したダウンリンクスループットを提供するとして役立つことができる。
【００８２】
図６Ｂは、ｅＮＢ６０２及びｇＮＢ６０４についての提案されたプロトコルスタックを例示する。示されるように、ｅＮＢ６０２は、無線リンク制御（radio link control、ＲＬＣ）レイヤ６２２ａ〜ｂをインタフェースする媒体アクセス制御（medium access control、ＭＡＣ）レイヤ６３２を含んでもよい。ＲＬＣレイヤ６２２ａは、パケットデータ収束プロトコル（packet data convergence protocol、ＰＤＣＰ）レイヤ６１２ａともインタフェースしてもよく、ＲＬＣレイヤ６２２ｂは、ＰＤＣＰレイヤ６１２ｂとインタフェースしてもよい。ＬＴＥ−Ａｄｖａｎｃｅｄ  Ｒｅｌｅａｓｅ  １２において指定されるようなデュアルコネクティビティと同様に、ＰＤＣＰレイヤ６１２ａは、マスタセルグループ（master cell group、ＭＣＧ）ベアラを介してＥＰＣネットワーク６００とインタフェースしてもよく、ＰＤＣＰレイヤ６１２ｂは、分割ベアラを介してＥＰＣネットワーク６００とインタフェースしてもよい。
【００８３】
加えて、示されるように、ｇＮＢ６０４は、ＲＬＣレイヤ６２４ａ〜ｂとインタフェースするＭＡＣレイヤ６３４を含んでもよい。ＲＬＣレイヤ６２４ａは、ｅＮＢ６０２とｇＮＢ６０４との間の情報交換及び／又は調整（例えば、ＵＥのスケジューリング）のためのＸ２インタフェースを介して、ｅＮＢ６０２のＰＤＣＰレイヤ６１２ｂとインタフェースしてもよい。加えて、ＲＬＣレイヤ６２４ｂは、ＰＤＣＰレイヤ６１４とインタフェースしてもよい。ＬＴＥ−Ａｄｖａｎｃｅｄ  Ｒｅｌｅａｓｅ  １２において指定されるようなデュアルコネクティビティと同様に、ＰＤＣＰレイヤ６１４は、二次セルグループ（secondary cell group、ＳＣＧ）ベアラを介してＥＰＣネットワーク６００とインタフェースしてもよい。よって、ｅＮＢ６０２は、マスタノード（master node、ＭｅＮＢ）と考えられてもよく、ｇＮＢ６０４は、二次ノード（secondary node、ＳｇＮＢ）と考えられてもよい。いくつかのシナリオでは、ＵＥは、ＭｅＮＢ及びＳｇＮＢの両方への接続を維持することを必要とされることがある。そのようなシナリオでは、ＥＰＣへの無線リソース制御（ＲＲＣ）接続を維持するためにＭｅＮＢが使用されてもよく、能力（例えば、追加のダウンリンク及び／又はアップリンクスループット）のためにＳｇＮＢが使用されてもよい。
【００８４】
上記述べられたように、ＬＴＥ−Ａｄｖａｎｃｅｄ  Ｒｅｌｅａｓｅ  １２は、デュアルコネクティビティ（例えば、ＬＴＥ／ＬＴＥ）を指定する。しかしながら、デュアルコネクティビティ仕様は、ＵＥが各々の接続（例えば、ＭｅＮＢ／ＳｅＮＢ）において受信及び送信を同時に実行することが可能であることを想定する。言い換えると、Ｒｅｌｅａｓｅ  １２において指定されるようなデュアルコネクティビティをサポートするために、ＵＥは、複数のＬＴＥ接続（例えば、マスタｅＮＢ（ＭｅＮＢ）への第１の接続及び二次ｅＮＢ（ＳｅＮＢ）への第２の接続）に対して同時送信及び受信をサポートすることが想定される。よって、Ｒｅｌｅａｓｅ  １２仕様は、ＵＥが２つのダウンリンク（ＤＬ）無線周波数（ＲＦ）チェーン及び２つのアップリンク（ＵＬ）ＲＦチェーンをサポートすることを想定する。更に、多入力多出力（multiple-input, multiple-output、ＭＩＭＯ）をサポートするために、ＵＥが２つの区別できる（別個の）ＵＬ  ＭＩＭＯ対応ＲＦチェーンをサポートすることが更に想定される。
【００８５】
しかしながら、ＲＦフロントエンド（ＲＦ／ＦＥ）の高いコスト及びＵＥの制限された空間要件を理由に、２つのＲＦ／ＭＩＭＯ  ＵＬチェーンを実装することは実用的でないことがある。更に、ほとんどのＵＥの適用がＤＬ中心であることを理由に、ＵＬにおけるより高いスループットに対する必要性が制限される。実際に、無線リソース管理（radio resource management、ＲＲＭ）及び／又はＵＬパイロット信号送信を維持するために、接続ごとにハイブリッド自動再送要求（hybrid automatic repeat request、ＨＡＲＱ）確認応答（acknowledgment、ＡＣＫ）及び否定応答（negative acknowledgement、ＮＡＣＫ）に対して２つのＵＬ  ＲＦチェーンのみが必要とされる。よって、ＬＴＥ／ＬＴＥデュアルコネクティビティは、高い実装コストを有し、よって、実装及び展開するのに困難となる。
【００８６】
更なる複雑なこととして、５Ｇ  ＮＲは、６ＧＨｚよりも低い帯域を使用して展開される可能性が高い。よって、５Ｇ  ＮＲ及びＬＴＥは、重複した帯域内で動作することがあり、ＬＴＥ／ＬＴＥデュアルコネクティビティに関して上記説明されたような同様の問題につながる。例えば、ＬＴＥ時分割多重（time division duplex、ＴＤＤ）帯域は、１８５０ＭＨｚ〜２６９０ＭＨｚに及び、ＬＴＥ周波数分割多重（frequency division duplex、ＦＤＤ）帯域は、７００ＭＨｚ〜２６９０ＭＨｚに及び、ＬＴＥ認可支援アクセス（licensed-assisted access、ＬＡＡ）は、５ＧＨｚにおいて動作する。
【００８７】
５Ｇ  ＮＲについての動作帯域は、ＮＲ都市部マクロ、ＮＲ超長距離、及びＮＲ都市部に対して考えられている。ＮＲ都市部マクロについて、２４．２５ＧＨｚ〜５２．６ＧＨｚの範囲が考えられており、約３０ＧＨｚがこれに対するプロキシとして選択されている。加えて、１４２７ＭＨｚ〜２６９０ＭＨｚの帯域の範囲も考えられており、約２ＧＨｚがこの範囲に対するプロキシとして選択されている。更に、３３００ＭＨｚ〜５０９０ＭＨｚの帯域の範囲も考えられており、約４ＧＨｚがこの範囲に対するプロキシとして選択されている。低密度エリア内のＮＲ超長距離カバレッジについて、４５０ＭＨｚ〜９６０ＭＨｚの帯域の範囲が考えられており、約７００ＭＨｚがこの範囲に対するプロキシとして選択されている。加えて、１４２７ＭＨｚ〜２６９０ＭＨｚの帯域の範囲も考えられており、約２ＧＨｚがこの範囲に対するプロキシとして選択されている。更に、３３００ＭＨｚ〜５０９０ＭＨｚの帯域の範囲も考えられており、約４ＧＨｚがこの範囲に対するプロキシとして選択されている。大容量接続のためのＮＲ都市部カバレッジについて、７００ＭＨｚ〜２１００ＭＨｚが考えられている。
【００８８】
よって、ＬＴＥ及び５Ｇ  ＮＲの様々なモードに対して動作帯域の間で実質的に重複する可能性が高い。更に、Ｒｅｌｅａｓｅ  １２において現在標準化されているようなデュアルコネクティビティは、実装の高いコスト及び複雑度を有する。
【００８９】
本明細書で説明される実施形態は、簡易化され、より低いコストのデュアルコネクティビティソリューションのためのシステム、方法、及び機構を提供する。
５Ｇ  ＮＲ／ＬＴＥデュアルコネクティビティ
【００９０】
いくつかの実施形態では、通信デバイス１０６などのＵＥは、例えば、上記図５によって例示されたようなセルラ通信回路３３０を介して、５Ｇ  ＮＲ及びＬＴＥ帯域に対して単一のＵＬ  ＲＦチェーンを使用してもよい。いくつかの実施形態では、ＵＥは、例えば、上記図５によって例示されたようなセルラ通信回路３３０を介して、５Ｇ  ＮＲ及びＬＴＥにおける同時（又は、実質的に同時）ＤＬ動作のための２つのダウンリンクＲＦチェーンをサポートすることができる。いくつかの実施形態では、以下で更に説明されるように、ＵＥは、ｅＮＢ、例えば、ｅＮＢ６０２などに、そのＵＬ  ＲＦ能力（例えば、５Ｇ  ＮＲとＬＴＥとの間のデュアルコネクティビティ）、及び２つの接続（又は、帯域）の間で切り替えるために必要なタイミングを示してもよい（例えば、送信されたメッセージを介して）。いくつかの実施形態では、５Ｇ  ＮＲ物理レイヤは、Ｎ×１５ＫＨｚのサブキャリア間隔において動作してもよく、Ｎは、１〜３である。いくつかの実施形態では、５Ｇ  ＮＲは、ＵＬ  ＨＡＲＱのＬＴＥの厳格なタイミング（例えば、Ｎ＋４）に適合するように動的ＵＬ／ＤＬ  ＨＡＲＱ動作タイミングをサポートすることができる。いくつかの実施形態では、５Ｇ  ＮＲは、５Ｇ  ＮＲにおけるＵＬ送信に適合するために、動的サウンディング参照信号をサポートすることができる。いくつかの実施形態では、ｅＮＢ６０２などのｅＮＢ及びｇＮＢ６０４などのｇＮＢは、ｅＮＢ及びｇＮＢの両方についてのＵＬ／ＤＬリソースのスケジューリングに適合するように、送信時間間隔（transmission time interval、ＴＴＩ）ごとにバックホール接続（又は、ネットワーク）を通じて通信してもよい。いくつかの実施形態では、ｅＮＢ及びｇＮＢは、時間同期してもよい。いくつかの実施形態では、ＵＬ及び／又はＤＬ送信に対するＵＥの要求があると、ｅＮＢ及びｇＮＢは、ｅＮＢとｇＮＢとの間のスケジューリングを適合させるために、要求を通信してもよい。例えば、いくつかの実施形態では、ｅＮＢは、ＵＬ／ＤＬ送信の半静的パターンによりＵＥをスケジュールしてもよく、半静的パターンは、ｇＮＢがＵＬ送信に対する半静的パターンに適合することができるようにｇＮＢに通信されてもよい。
【００９１】
図７は、いくつかの実施形態に従った、ＵＥがｅＮＢ及びｇＮＢに実質的に同時に接続する技術の実施例のシグナリング図を例示する。図７に示されるシグナリングは、他のデバイスの中で、上記図に示されたシステム又はデバイスのいずれかと共に使用されてもよい。様々な実施形態では、示されるシグナリングのいくつかは、同時に実行されてもよく、示されるのとは異なる順序で実行されてもよく、又は省略されてもよい。要望に応じて、追加のシグナリングも実行されてもよい。示されるように、シグナリングは、以下のようにフローしてもよい。
【００９２】
７１２において、上記説明された通信デバイス１０６などのＵＥは、上記説明されたｅＮＢ６０２などのＬＴＥ基地局にシグナリングを送信して、ＬＴＥネットワークへのアタッチを確立してもよい。言い換えると、ＵＥは、ＬＴＥ基地局との接続を要求してもよい。
【００９３】
７１４において、ＵＥは、ＬＴＥ基地局に、ＵＥの能力を示すメッセージを送信してもよい。メッセージは、ＵＥが５Ｇ  ＮＲ基地局との通信をサポートする（又は、サポートする能力を有する）ことのインジケーションを含んでもよい。いくつかの実施形態では、インジケーションは、メッセージ内の１つ以上のビットとして含まれてもよい。いくつかの実施形態では、例えば、図５を参照して上記説明されたように、メッセージを送信する前に、ＵＥは、ＬＴＥアップリンク送信に専用の送信チェーンにアップリンクアンテナを結合してもよい（例えば、スイッチを介して）。
【００９４】
７１６において、ＵＥは、上記説明されたｇＮＢ６０４などの５Ｇ  ＮＲ基地局にシグナリングを送信して、５Ｇ  ＮＲネットワークへのアタッチを確立してもよい。言い換えると、ＵＥは、５Ｇ  ＮＲ基地局との接続を要求してもよい。いくつかの実施形態では、ＵＥは、要求と共にその能力、例えば、ＵＥがＬＴＥ及び５Ｇ  ＮＲとの同時（又は、実質的に同時）接続性をサポートするかどうかを示してもよい。いくつかの実施形態では、ＵＥは、ＵＥがＬＴＥ及び５Ｇ  ＮＲとの同時（又は、実質的に同時）ダウンリンク接続をサポートするが、ＬＴＥ及び５Ｇ  ＮＲとの同時（又は、実質的に同時）アップリンク接続をサポートしないことを示してもよい。いくつかの実施形態では、例えば、図５を参照して上記説明されたように、シグナリングを送信する前に、ＵＥは、５Ｇ  ＮＲアップリンク送信に専用の送信チェーンにアップリンクアンテナを結合してもよい（例えば、スイッチを介して）。
【００９５】
７１８において、ＵＥがＬＴＥ及び５Ｇ  ＮＲとの同時（又は、実質的に同時）アップリンク接続をサポートしないとき、５Ｇ  ＮＲ及びＬＴＥ基地局は、シグナリングを交換して、ＵＥとのアップリンク通信をネゴシエート及び同期させてもよい。言い換えると、５Ｇ  ＮＲ及びＬＴＥ基地局は、相互にネゴシエートして、ＵＥに対するアップリンクスケジュールを確立してもよく、スケジュールは、５Ｇ  ＮＲ基地局及びＬＴＥ基地局とのアップリンク通信を含む。
【００９６】
７２０において、ＵＥは、ＬＴＥ基地局から、デュアルコネクティビティが確立されたことのインジケーションを受信してもよい。言い換えると、ＵＥは、ＬＴＥ基地局及び５Ｇ  ＮＲ基地局の両方との接続が確立されたことを示す１つ以上のビットを含むメッセージを受信してもよい。いくつかの実施形態では、例えば、図５を参照して上記説明されたように、ＵＥは、ＬＴＥダウンリンク送信を受信することに専用の受信チェーンに結合されたダウンリンクアンテナを介して、インジケーションを受信してもよい。
【００９７】
７２２において、５Ｇ  ＮＲ及びＬＴＥ基地局は、シグナリングを交換して、アップリンク及びダウンリンク許可、並びに５Ｇ  ＮＲネットワーク及びＬＴＥネットワークの両方に対するＵＥのスケジューリングに関する情報を交換してもよい。
【００９８】
７２４において、ＵＥは、ＬＴＥ基地局からアップリンク及びダウンリンク許可を受信してもよい。言い換えると、ＬＴＥ基地局は、ＬＴＥネットワーク上のアップリンク及びダウンリンク通信に対してＵＥをスケジュールしてもよい。いくつかの実施形態では、例えば、図５を参照して上記説明されたように、ＵＥは、ＬＴＥダウンリンク送信を受信することに専用の受信チェーンに結合されたダウンリンクアンテナを介して、インジケーションを受信してもよい。
【００９９】
７２６において、ＵＥは、５Ｇ  ＮＲ基地局から５Ｇ  ＮＲネットワークとのアップリンク及びダウンリンク通信に対するスケジュールを受信してもよい。スケジュールは、ＬＴＥ基地局のアップリンク許可に適合するための動的アップリンクリソース及び動的ＨＡＲＱを含んでもよい。いくつかの実施形態では、例えば、図５を参照して上記説明されたように、ＵＥは、５Ｇ  ＮＲダウンリンク送信を受信することに専用の受信チェーンに結合されたダウンリンクアンテナを介して、インジケーションを受信してもよい。
【０１００】
図８は、いくつかの実施形態に従った、ＵＥ確認応答サブフレームを動的にスケジュールする方法の実施例のブロック図を例示する。図８に示される方法は、他のデバイスの中で、上記図に示されたシステム又はデバイスのいずれかと共に使用されてもよい。様々な実施形態では、示される方法要素のいくつかは、同時に実行されてもよく、示されるのとは異なる順序で実行されてもよく、省略されてもよい。要望に応じて、追加の方法要素も実行されてもよい。示されるように、この方法は、以下のように動作してもよい。
【０１０１】
８０２において、上記説明されたｇＮＢ６０４などのネットワークノードは、上記説明された通信デバイス１０６などのユーザ機器デバイス（ＵＥ）からアタッチ要求を受信してもよい。
【０１０２】
８０４において、ネットワークノード（例えば、ネットワークノードのプロセッサ）は、ネットワークノードから受信されたデータのＵＥ確認応答に対する動的リソース割当を判定してもよい。言い換えると、ネットワークノードは、ＵＥが指定されたＤＬサブフレームと関連付けられた確認応答情報（例えば、受信されたデータの確認応答（ＡＣＫ）又は受信されなかったデータの否定応答（ＮＡＣＫ））を送信することになる動的リソース割当（例えば、ＵＬサブフレームの又はＵＬサブフレームの部分）を判定してもよい。いくつかの実施形態では、ＵＬサブフレームの部分は、１つ以上の隣接サブフレームに及んでもよい。例えば、部分は、第１のサブフレームの２つ目の半分、追加のサブフレーム、及び第３のサブフレームの最初の半分を含んでもよい。
【０１０３】
例えば、いくつかの実施形態では、動的リソース割当は、指定されたアップリンクサブフレームにおいてＵＥによって確認応答されることになる１つ以上のダウンリンクサブフレームのインジケーションを含んでもよい。いくつかの実施形態では、動的リソース割当は、ＵＥが指定されたアップリンクサブフレームにおいて１つ以上のダウンリンクサブフレームについての確認応答情報を束ねることのインジケーションを含んでもよい。いくつかの実施形態では、例えば、図９を参照して以下で更に説明されるように、動的リソース割当は、非同期ハイブリッド自動再送要求（ＨＡＲＱ）を指定してもよい。いくつかの実施形態では、例えば、図９を参照して以下で更に説明されるように、動的リソース割当は、非同期の束ねられたＨＡＲＱを指定してもよい。
【０１０４】
いくつかの実施形態では、ネットワークノード及びＵＥは、周波数分割多重（ＦＤＤ）に従って動作してもよいことに留意されたい。加えて、いくつかの実施形態では、フレームは、１２個のサブフレームを含んでもよく、各々のフレームは、０．００９６秒に及んでもよく、各々のサブフレームは、０．０００８秒に及んでもよい。更に、いくつかの実施形態では、ネットワークノード及びＵＥは両方、５Ｇ  ＮＲに従って動作してもよい。
【０１０５】
８０６において、ネットワークノードは、動的リソース割当を送信してもよい。いくつかの実施形態では、図９を参照して以下で更に説明されるように、ネットワークノードは、動的リソース割当を指定することができるダウンリンク制御インデックス（downlink control index、ＤＣＩ）を送信してもよい。
【０１０６】
例えば、図９は、いくつかの実施形態に従った、５Ｇ  ＮＲに従って通信するＦＤＤフレームスケジュールの実施例を例示する。図９に示されるように、フレームスケジュールは、フレキシブルなタイミング及びバンドリングを含む、フレキシブルなＨＡＲＱ動作を含んでもよい。いくつかの実施形態では、５Ｇ  ＮＲに対するダウンリンクフレームスケジュールは、１つ以上のダウンリンク制御インデックス（ＤＣＩ）フレーム９０２及び１つ以上のデータフレーム９０４を含んでもよい。示されるように、ＤＣＩフレームの割当（及び／又は、スケジューリング）は動的であってもよい。言い換えると、ＤＣＩフレームは、例えば、要求に応じて及び／又は必要に応じて、非同期間隔において発生してもよい。いくつかの実施形態では、ＤＣＩフレームは、ＨＡＲＱ応答及び／又はＨＡＲＱの束ねられた応答に対するアップリンクサブフレームのスケジューリング（又は、アップリンクサブフレーム）を示してもよい。加えて、アップリンクＨＡＲＱ確認応答（又は、否定応答）も、ＨＡＲＱ応答９０６によって示されるように、要求に応じて及び／又は必要に応じて発生してもよく、ＨＡＲＱ応答９０６は、ＤＣＩフレーム９０２において受信されたスケジューリング情報（又は、スケジューリングインジケーション）に基づいて送信されてもよい。加えて、いくつかのＨＡＲＱ応答は、例えば、ＨＡＲＱバンドル９０８によって示されるように束ねられてもよい。言い換えると、いくつかの実施形態では、非同期及び／又は適合的ＨＡＲＱをサポートすることができる。加えて、データとＨＡＲＱ応答との間のタイミングは、無線リソース制御シグナリングによって、及び／又は例示されるようなＤＣＩを介して指定されてもよい。確認応答は、ｎ＋ｋによって定義されたスロットにおいて送信されてもよく、ｋ＞０であることに留意されたい。
【０１０７】
図１０は、いくつかの実施形態に従った、１つ以上のネットワークへの実質的な同時アタッチと共に、ＵＥに対してＵＥ確認応答サブフレームを動的にスケジュールする方法の実施例のブロック図を例示する。図１０に示される方法は、他のデバイスの中で、上記図に示されたシステム又はデバイスのいずれかと共に使用されてもよい。様々な実施形態では、示される方法要素のいくつかは、同時に実行されてもよく、示されるのとは異なる順序で実行されてもよく、省略されてもよい。要望に応じて、追加の方法要素も実行されてもよい。示されるように、この方法は、以下のように動作してもよい。
【０１０８】
１００２において、上記説明されたｇＮＢ６０４などの第１のネットワークノードは、第２のネットワークノードから、上記説明されたｅＮＢ６０２などの第２のネットワークノードによって、上記説明された通信デバイス１０６などのＵＥに対してスケジュールされたアップリンク及びダウンリンク許可のインジケーションを受信してもよい。いくつかの実施形態では、ＵＥは、第１のネットワークノード及び第２のネットワークノードへの実質的な同時アタッチを有してもよい。いくつかの実施形態では、第１のネットワークノードは、第１のＲＡＴに従って動作してもよく、第２のネットワークノードは、第２のＲＡＴに従って動作してもよい。
【０１０９】
いくつかの実施形態では、第１のネットワークノード及び第２のネットワークノード、並びにＵＥは、周波数分割多重（ＦＤＤ）に従って動作してもよい。加えて、いくつかの実施形態では、第１のＲＡＴのフレームは、１２個のサブフレームを含んでもよく、各々のフレームは、０．００９６秒に及んでもよく、各々のサブフレームは、０．０００８秒に及んでもよい。更に、いくつかの実施形態では、第２のＲＡＴのフレームは、１０個のサブフレームを含んでもよく、各々のフレームは、０．０１秒に及んでもよく、各々のサブフレームは、０．００１秒に及んでもよい。いくつかの実施形態では、第１のＲＡＴは、５Ｇ  ＮＲであってもよく、第２のＲＡＴは、ＬＴＥであってもよい。
【０１１０】
１００４において、第１のネットワークノードは、インジケーションに基づいて（少なくとも部分的に）、ＵＥ  ＵＬ送信に対してＵＬサブフレーム１つ以上の部分をスケジュールしてもよい。言い換えると、図１１及び１２を参照して以下で更に説明されるように、第１のネットワークノードは、第２のネットワークノードによってスケジュールされたＵＥ  ＵＬ送信に適合するように（例えば、それと干渉しないように）ＵＥ  ＵＬ送信をスケジュールしてもよい。例えば、いくつかの実施形態では、第２のネットワークノードは、ＵＬ／ＤＬ送信の半静的パターンによりＵＥをスケジュールしてもよく、半静的パターンは、第１のネットワークノードが第２のネットワークノードへのＵＬ送信に対する半静的パターンに適合することができるように、第１のネットワークノードに通信されてもよい。いくつかの実施形態では、ＵＬサブフレームの部分は、１つ以上の隣接サブフレームに及んでもよい。例えば、部分は、第１のサブフレームの２つ目の半分、追加のサブフレーム、及び第３のサブフレームの最初の半分を含んでもよい。
【０１１１】
いくつかの実施形態では、図１１及び１２を参照して以下で更に説明されるように、割当リソース割振は、非同期ハイブリッド自動再送要求（ＨＡＲＱ）及び非同期の束ねられたＨＡＲＱを指定することができる。
【０１１２】
１００６において、第１のネットワークノードは、ＵＥに、スケジュールを示す割当リソース割振を送信してもよい。いくつかの実施形態では、図１１及び１２を参照して以下で更に説明されるように、割当リソース割振は、ダウンリンク制御インデックス（ＤＣＩ）を介して指定されてもよい。いくつかの実施形態では、例えば、図１１及び１２を参照して以下で更に説明されるように、割当リソース割振は、指定されたアップリンクサブフレームにおいてＵＥによって確認応答されることになる１つ以上のダウンリンクサブフレームのインジケーションを含んでもよく、及び／又は割当リソース割振は、ＵＥが指定されたアップリンクサブフレームにおいて１つ以上のダウンリンクサブフレームに対して確認応答情報を束ねることのインジケーションを含んでもよい。いくつかの実施形態では、例えば、図１１及び１２を参照して以下で更に説明されるように、アップリンクサブフレームの１つ以上の部分は、第２のネットワークノードによってＵＥに割り当てられない１つ以上のアップリンクサブフレームに対応してもよい。いくつかの実施形態では、ＵＬサブフレームの部分は、１つ以上の隣接サブフレームに及んでもよい。例えば、部分は、第１のサブフレームの２つ目の半分、追加のサブフレーム、及び第３のサブフレームの最初の半分を含んでもよい。
【０１１３】
例えば、図１１は、いくつかの実施形態に従った、５Ｇ  ＮＲ及びＬＴＥに従って実質的な同時通信のためのＦＤＤフレームスケジュールの実施例を例示する。図１１に示されるように、ＬＴＥフレームスケジュールは、物理アップリンク制御チャネル（physical uplink control channel、ＰＵＣＣＨ）及び／又は物理アップリンク共有チャネル（physical uplink shared channel、ＰＵＳＣＨ）１１０２を介した同期ＨＡＲＱ送信を含んでもよい。言い換えると、ＨＡＲＱ応答は、ＨＡＲＱ応答と関連付けられたデータの受信の後に、第４のフレームにおいて送信されてもよい。いくつかの実施形態では、アップリンク送信チェーンは、ＬＴＥと５Ｇ  ＮＲ通信との間で共有されてもよい。よって、ＬＴＥにおけるいかなる第５のフレーム（同期ＨＡＲＱを維持するためのアップリンク及びダウンリンク上の）は、５Ｇ  ＮＲ上のアップリンク送信に適合するようにスキップされてもよい。よって、示されるように、ＨＡＲＱ応答８０６は、ＬＴＥスケジューリングに従って非同期に送信されてもよい。言い換えると、ＨＡＲＱ応答は、未使用ＬＴＥフレーム時間ウインドウの間に送信されてもよい。加えて、アップリンクデータ１１０４は、ＨＡＲＱ応答に対して未使用のいずれかの残りの時間ウインドウの間に送信されてもよい（例えば、ＬＴＥフレームがＦＤＤに対する１．５の５Ｇ  ＮＲフレームと同等であるので）。加えて、デュアルコネクティビティにわたってダウンリンクスループットを最大にするために、５Ｇ  ＮＲ  ＨＡＲＱバンドリングは、例えば、１０個のダウンリンクサブフレームまでＨＡＲＱ応答を束ねてもよい。加えて、いくつかの実施形態では、例えば、ｅＮＢ６０２などのＬＴＥ基地局と、例えば、ｇＮＢ６０４などの５Ｇ  ＮＲ基地局との間の同期（例えば、タイミング及びスケジューリングに対する）は、上記説明されたようなＸ２インタフェースを介してもよい。更に、ｅＮＢ及びｇＮＢにおけるスケジューリングは、５Ｇ  ＮＲダウンリンクトラフィックに対してＨＡＲＱタイミングを調節するように、ＵＥによって要求されたアップリンクリソースをも考慮（又は、適合）してもよい。
【０１１４】
別の実施例として、図１２は、いくつかの実施形態に従った、５Ｇ  ＮＲ及びＬＴＥに従って実質的な同時通信のためのＦＤＤフレームスケジュールの別の実施例を例示する。図１２に示されるように、いくつかの実施形態では、５Ｇ  ＮＲ接続に対してより多くのアップリンクリソースを提供するために、追加のＬＴＥサブフレームがスキップされてもよい。例えば、図１２に例示されるように、４つの連続したサブフレームの代わりに、３つの連続したサブフレームに対してのみＵＥがスケジュールされてもよい。言い換えると、５Ｇ  ＮＲ接続に対してアップリンクリソースを増大させるために、ＬＴＥ接続のダウンリンクリソースが減少される。そのようなスケジュールは、ＬＴＥについての最新の３ＧＰＰ標準の範囲外であるが、ユーザ能力及びＨＡＲＱバンドリング能力は、共有アップリンク送信チェーンを使用したダウンリンクに対する最適なバランスを達成するのに重要であることに留意されたい。
更なる実施形態
【０１１５】
いくつかの実施形態では、ネットワークノード（例えば、基地局６０４）は、少なくとも１つのアンテナ、メモリ、並びにメモリ及び少なくとも１つのアンテナと通信する処理要素を含んでもよい。
【０１１６】
いくつかの実施形態では、ネットワークノードの処理要素は、ＵＥ１０６などのユーザ機器デバイス（ＵＥ）から、少なくとも１つのアンテナを介して、ネットワークノードにアタッチする要求を受信するように構成されてもよい。アタッチする要求は、ＵＥがネットワークノード及び第２のネットワークノードとの実質的に同時の接続を維持する能力を有することができることのインジケーションを含んでもよい。ネットワークノードは、第１の無線アクセス技術（ＲＡＴ）（例えば、５Ｇ  ＮＲ）に従って動作してもよく、第２のネットワークノード（例えば、ｅＮＢ６０２）は、第２のＲＡＴ（例えば、ＬＴＥ）に従って動作してもよい。処理要素は、第２のネットワークノードとタイミングを同期させ、第２のネットワークノードから、ＵＥに対して第２のネットワークノードによってスケジュールされたアップリンク及びダウンリンク許可のインジケーションを受信し、ＵＥに対して動的アップリンクリソース割当を割り当て、ＵＥに少なくとも１つのアンテナを介して、動的アップリンクリソース割当を送信するように更に構成されてもよい。いくつかの実施形態では、動的アップリンクリソース割当は、第２のネットワークノードによってスケジュールされたアップリンク許可に適合することができる。例えば、いくつかの実施形態では、第２のネットワークノードは、ＵＬ／ＤＬ送信の半静的パターンによりＵＥをスケジュールしてもよく、半静的パターンは、第１のネットワークノードが第２のネットワークノードへのＵＬ送信に対して半静的パターンに適合することができるように、第１のネットワークノードに通信されてもよい。いくつかの実施形態では、ネットワークノードは、バックホールネットワークインタフェースをも含んでもよく、アップリンク及びダウンリンク許可のインジケーションは、バックホールネットワークインタフェースを介して受信されてもよい。いくつかの実施形態では、第２のネットワークノードとタイミングを同期させるために、処理要素は、バックホールネットワークインタフェースを介して、ネットワークノードと第２のネットワークノードとの間でタイミングを同期させるメッセージを交換するように更に構成されてもよい。いくつかの実施形態では、処理要素は、ＵＥに、アップリンクハイブリッド自動再送要求（ＨＡＲＱ）スケジュールを送信するように更に構成されてもよい。いくつかの実施形態では、アップリンクＨＡＲＱスケジュールは、第２のネットワークノードから受信されたアップリンク許可に適合することができる。
【０１１７】
いくつかの実施形態では、ネットワークノードの処理要素は、ＵＥ（例えば、ＵＥ１０６）から少なくとも１つのアンテナを介して、アタッチ要求を受信し、ネットワークノードから受信されたデータのＵＥ確認応答に対する動的リソース割当を判定し、ＵＥに少なくとも１つのアンテナを介して、動的リソース割当を送信するように構成されてもよい。いくつかの実施形態では、動的リソース割当は、指定されたアップリンクサブフレームにおいてＵＥによって確認応答されることになる１つ以上のダウンリンクサブフレームのインジケーションを含んでもよい。いくつかの実施形態では、動的リソース割当は、ＵＥが指定されたアップリンクサブフレームにおいて１つ以上のダウンリンクサブフレームについての確認応答情報を束ねることのインジケーションを含んでもよい。いくつかの実施形態では、動的リソース割当は、非同期ＨＡＲＱを指定してもよい。いくつかの実施形態では、動的リソース割当は、非同期の束ねられたＨＡＲＱを指定してもよい。いくつかの実施形態では、動的リソース割当は、ダウンリンク制御インデックス（ＤＣＩ）を介して指定されてもよい。いくつかの実施形態では、ネットワークノード及びＵＥは、周波数分割多重（ＦＤＤ）に従って動作してもよい。いくつかの実施形態では、フレームは、１２個のサブフレームを含んでもよく、各々のフレームは、０．００９６秒に及んでもよく、各々のサブフレームは、０．０００８秒に及んでもよい。更に、いくつかの実施形態では、ネットワークノード及びＵＥは、５Ｇ  ＮＲ無線アクセス技術に従って動作してもよい。
【０１１８】
いくつかの実施形態では、ネットワークノードの処理要素は、第２のネットワークノードから、第２のネットワークノードによってＵＥ（例えば、ＵＥ１０６）に対してスケジュールされたアップリンク及びダウンリンク許可のインジケーションを受信し、インジケーションに少なくとも部分的に基づいて、ＵＥアップリンク送信に対してアップリンクサブフレームの１つ以上の部分をスケジュールし、ＵＥに少なくとも１つのアンテナを介して、スケジュールを示す割当リソース割振を送信するように構成されてもよい。いくつかの実施形態では、ＵＥは、ネットワークノード及び第２のネットワークノードへの実質的な同時アタッチを有してもよい。いくつかの実施形態では、ネットワークノードは、第１のＲＡＴ（例えば、５Ｇ  ＮＲ）に従って動作してもよく、第２のネットワークノードは、第２のＲＡＴ（例えば、ＬＴＥ）に従って動作してもよい。いくつかの実施形態では、割当リソース割振は、指定されたアップリンクサブフレームにおいてＵＥによって確認応答されることになる１つ以上のダウンリンクサブフレームのインジケーションを含んでもよい。いくつかの実施形態では、割当リソース割振は、ＵＥが指定されたアップリンクサブフレームにおいて１つ以上のダウンリンクサブフレームに対して確認応答情報を束ねることのインジケーションを含んでもよい。いくつかの実施形態では、割当リソース割振は、非同期ハイブリッド自動再送要求（ＨＡＲＱ）を指定してもよい。いくつかの実施形態では、割当リソース割振は、非同期の束ねられたＨＡＲＱを指定してもよい。いくつかの実施形態では、割当リソース割振は、ダウンリンク制御インデックス（ＤＣＩ）を介して指定されてもよい。いくつかの実施形態では、アップリンクサブフレームの１つ以上の部分は、第２のネットワークノードによってＵＥに割り当てられない１つ以上のアップリンクサブフレームに対応してもよい。いくつかの実施形態では、ネットワークノード、第２のネットワークノード、及びＵＥは、周波数分割多重（ＦＤＤ）に従って動作してもよい。いくつかの実施形態では、第１のＲＡＴに対して、フレームは、１２個のサブフレームを含んでもよく、各々のフレームは、０．００９６秒に及んでもよく、各々のサブフレームは、０．０００８秒に及んでもよい。いくつかの実施形態では、第２のＲＡＴに対して、フレームは、１０個のサブフレームを含んでもよく、各々のフレームは、０．０１秒に及んでもよく、各々のサブフレームは、０．００１秒に及んでもよい。
【０１１９】
いくつかの実施形態では、セルラ通信回路（例えば、ＵＥ１０６などのＵＥに含まれる）は、第１のモデム、第１のモデムと通信する第１の無線周波数（ＲＦ）フロントエンド回路、第１のＲＦフロントエンド回路と通信する第１のダウンリンクフロントエンド回路、第２のモデム、第２のモデムと通信する第２のＲＦフロントエンド回路、第２のＲＦフロントエンド回路と通信する第２のダウンリンクフロントエンド回路、第１のＲＦフロントエンド回路及び第２のＲＦフロントエンド回路に結合されたスイッチ回路、並びにスイッチ回路に結合されたアップリンクフロントエンド回路を含んでもよい。第１のモデムは、少なくとも１つのプロセッサ及びメモリを含んでもよい。同様に、第２のモデムは、少なくとも１つのプロセッサ及びメモリを含んでもよい。第１のＲＦフロントエンド回路及び第１のダウンリンクフロントエンド回路と共に第１のモデムは、第１の無線アクセス技術（ＲＡＴ）（例えば、５Ｇ  ＮＲ）に従って動作するように構成されてもよく、第２のＲＦフロントエンド回路及び第２のダウンリンクフロントエンド回路と共に第２のモデムは、第２のＲＡＴ（例えば、ＬＴＥ）に従って動作するように構成されてもよい。いくつかの実施形態では、スイッチ回路が第１の状態にあるとき、アップリンクフロントエンド回路は、第１のＲＦフロントエンド回路と通信してもよく、スイッチ回路が第２の状態にあるとき、アップリンクフロントエンド回路は、第２のＲＦフロントエンド回路と通信してもよい。いくつかの実施形態では、スイッチ回路は、第１のモデムが第１のＲＡＴに従って送信するデータを有しているという通知があると、第１の状態に切り替え、第２のモデムが第２のＲＡＴに従って送信するデータを有しているという通知があると、第２の状態に切り替えるように構成されてもよい。いくつかの実施形態では、セルラ通信回路は、第１のダウンリンクフロントエンド回路を介して第１のＲＡＴに従って動作する第１のネットワークノードからの通信と、第２のダウンリンクフロントエンド回路を介して第２のＲＡＴに従って動作する第２のネットワークノードからの通信とを実質的に同時に受信するように構成されてもよい。いくつかの実施形態では、第１の受信チェーンは、第１のモデム、第１のＲＦフロントエンド回路、及び第１のダウンリンクフロントエンド回路を含んでもよく、第２の受信チェーンは、第２のモデム、第２のＲＦフロントエンド回路、及び第２のダウンリンクフロントエンド回路を含んでもよい。いくつかの実施形態では、セルラ通信回路は、第１のモデム及び第１のアンテナを介して、動的リソース割当を受信するように構成されてもよい。動的リソース割当は、１つ以上のダウンリンクサブフレームに関する確認応答情報を送信するための１つ以上のアップリンクサブフレーム又はアップリンクサブフレームの１つ以上の部分を示してもよい。いくつかの実施形態では、１つ以上のアップリンクサブフレーム又はアップリンクサブフレームの１つ以上の部分上で送信することは、第２のモデムの送信スケジュールと干渉しないことがある。
【０１２０】
いくつかの実施形態では、ユーザ機器デバイス（ＵＥ）（例えば、ＵＥ１０６）は、少なくとも１つのアンテナ、メモリ、並びにメモリ及び少なくとも１つのアンテナと通信する少なくとも１つのプロセッサを含んでもよい。いくつかの実施形態では、ＵＥの少なくとも１つのプロセッサは、ネットワークノード（例えば、基地局１０２）に少なくとも１つのアンテナを介して、アタッチ要求を送信し、ネットワークノードから少なくとも１つのアンテナを介して、ネットワークノードから受信されたデータのＵＥ確認応答に対する動的リソース割当を受信するように構成されてもよい。いくつかの実施形態では、動的リソース割当は、指定されたアップリンクサブフレームにおいてＵＥによって確認応答されることになる１つ以上のダウンリンクサブフレームのインジケーションを含んでもよい。いくつかの実施形態では、動的リソース割当は、ＵＥが指定されたアップリンクサブフレームにおいて１つ以上のダウンリンクサブフレームに対して確認応答情報を束ねるインジケーションを含んでもよい。いくつかの実施形態では、動的リソース割当は、非同期ハイブリッド自動再送要求（ＨＡＲＱ）を指定してもよい。いくつかの実施形態では、動的リソース割当は、非同期の束ねられたＨＡＲＱを指定してもよい。いくつかの実施形態では、動的リソース割当は、ダウンリンク制御インデックス（ＤＣＩ）を介して指定されてもよい。いくつかの実施形態では、ネットワークノード及びＵＥは、周波数分割多重（ＦＤＤ）に従って動作してもよい。いくつかの実施形態では、フレームは、１２個のサブフレームを含んでもよく、各々のフレームは、０．００９６秒に及んでもよく、各々のサブフレームは、０．０００８秒に及んでもよい。いくつかの実施形態では、ネットワークノード及びＵＥは、５Ｇ新無線（ＮＲ）無線アクセス技術に従って動作してもよい。
【０１２１】
いくつかの実施形態では、ＵＥ１０６などのユーザ機器デバイス（ＵＥ）は、第１のアンテナと通信する第１の無線機、第２のアンテナと通信する第２の無線機、第１の無線機及び第２の無線機に結合されたスイッチ、スイッチに結合された第３のアンテナ、並びに第１の無線機及び第２の無線機に結合された１つ以上のプロセッサを含んでもよい。いくつかの実施形態では、第１の無線機は、第１の無線アクセス技術（ＲＡＴ）（例えば、５Ｇ  ＮＲ）に従ってセルラ通信を実行するように構成されてもよく、第２の無線機は、第２のＲＡＴ（例えば、ＬＴＥ）に従ってセルラ通信を実行するように構成されてもよい。いくつかの実施形態では、スイッチの第１の状態は、第１の無線機と第３のアンテナとの間の通信を可能にすることができ、スイッチの第２の状態は、第２の無線機と第３のアンテナとの間の通信を可能にすることができる。いくつかの実施形態では、１つ以上のプロセッサは、第１のネットワークノード（基地局１０２など）から、第１のネットワークノードへのアップリンク送信に対するアップリンクサブフレームの１つ以上の部分を示す動的リソース割当を受信するように構成されてもよい。第１のネットワークノードは、第１のＲＡＴに従って動作してもよい。いくつかの実施形態では、ＵＥは、第１の無線機を介して第１のネットワークノードに、及び第２の無線機を介して第２のネットワークに実質的に同時にアタッチされてもよく、第２のネットワークノードは、第２のＲＡＴに従って動作する。いくつかの実施形態では、第１のネットワークノードは、第２のネットワークノードから、第２のネットワークノードによってＵＥに対してスケジュールされたアップリンク及びダウンリンク許可のインジケーションを受信するように構成されてもよい。いくつかの実施形態では、動的リソース割当は、指定されたアップリンクサブフレームにおいてＵＥによって確認応答されることになる１つ以上のダウンリンクサブフレームのインジケーションを含んでもよい。いくつかの実施形態では、動的リソース割当は、ＵＥが指定されたアップリンクサブフレームにおいて１つ以上のダウンリンクサブフレームに対して確認応答情報を束ねるインジケーションを含んでもよい。いくつかの実施形態では、動的リソース割当は、非同期ハイブリッド自動再送要求（ＨＡＲＱ）を指定してもよい。いくつかの実施形態では、動的リソース割当は、非同期の束ねられたＨＡＲＱを指定してもよい。いくつかの実施形態では、動的リソース割当は、ダウンリンク制御インデックス（ＤＣＩ）を介して指定されてもよい。いくつかの実施形態では、アップリンクサブフレームの１つ以上の部分は、第２のネットワークノードによってＵＥに割り当てられない１つ以上のアップリンクサブフレームに対応する。いくつかの実施形態では、第１のネットワークノード及び第２のネットワークノード、並びにＵＥは、周波数分割多重（ＦＤＤ）に従って動作してもよい。いくつかの実施形態では、第１のＲＡＴに対して、フレームは、１２個のサブフレームを含んでもよく、各々のフレームは、０．００９６秒に及んでもよく、各々のサブフレームは、０．０００８秒に及んでもよく、第２のＲＡＴに対して、フレームは、１���個のサブフレームを含んでもよく、各々のフレームは、０．０１秒に及んでもよく、各々のサブフレームは、０．００１秒に及んでもよい。
【０１２２】
いくつかの実施形態では、装置は、メモリ及びメモリと通信する少なくとも１つのプロセッサを含んでもよい。少なくとも１つのプロセッサは、ネットワークノード（例えば、基地局１０２）に、アタッチ要求を送信し、ネットワークノードから、ネットワークノードから受信されたデータの装置確認応答に対する動的リソース割当を受信する命令を生成するように構成されてもよい。いくつかの実施形態では、動的リソース割当は、指定されたアップリンクサブフレームにおいて装置によって確認応答されることになる１つ以上のダウンリンクサブフレームのインジケーションを含んでもよい。いくつかの実施形態では、動的リソース割当は、装置が指定されたアップリンクサブフレームにおいて１つ以上のダウンリンクサブフレームに対して確認応答情報を束ねるインジケーションを含んでもよい。いくつかの実施形態では、動的リソース割当は、非同期ハイブリッド自動再送要求（ＨＡＲＱ）を指定してもよい。いくつかの実施形態では、動的リソース割当は、非同期の束ねられたＨＡＲＱを指定してもよい。いくつかの実施形態では、動的リソース割当は、ダウンリンク制御インデックス（ＤＣＩ）を介して指定されてもよい。いくつかの実施形態では、ネットワークノード及び装置は、周波数分割多重（ＦＤＤ）に従って動作してもよい。いくつかの実施形態では、フレームは、１２個のサブフレームを含んでもよく、各々のフレームは、０．００９６秒に及んでもよく、各々のサブフレームは、０．０００８秒に及んでもよい。いくつかの実施形態では、ネットワークノード及び装置は、５Ｇ新無線（ＮＲ）無線アクセス技術に従って動作してもよい。
【０１２３】
本開示の実施形態は、様々な形態のいずれかにおいて実現されてもよい。例えば、いくつかの実施形態は、コンピュータにより実施される方法、コンピュータ可読記憶媒体、又はコンピュータシステムとして実現されてもよい。他の実施形態は、ＡＳＩＣなどの１つ以上のカスタム設計されたハードウェアデバイスを使用して実現されてもよい。更なる他の実施形態は、ＦＰＧＡなどの１つ以上のプログラム可能ハードウェア要素を使用して実現されてもよい。
【０１２４】
いくつかの実施形態では、非一時的コンピュータ可読記憶媒体は、それがプログラム命令及び／又はデータを記憶するように構成されてもよく、プログラム命令は、コンピュータシステムによって実行される場合、コンピュータシステムに、方法、例えば、本明細書で説明される方法の実施形態のいずれか、本明細書で説明される方法の実施形態のいずれかの組み合わせ、本明細書で説明される方法の実施形態のいずれかのサブセット、又はそのようなサブセットのいずれかの組み合わせを実行させる。
【０１２５】
いくつかの実施形態では、デバイス（例えば、ＵＥ１０６）は、プロセッサ（又は、プロセッサのセット）及び記憶媒体を含むように構成されてもよく、記憶媒体は、プログラム命令を記憶し、プロセッサは、記憶媒体からプログラム命令を読み取り及び実行するように構成され、プログラム命令は、本明細書で説明される様々な方法の実施形態のいずれか（又は、本明細書で説明される方法の実施形態のいずれかの組み合わせ、本明細書で説明される方法の実施形態のいずれかのサブセット、若しくはそのようなサブセットのいずれかの組み合わせ）を実装するように実行可能である。デバイスは、様々な形態のいずれかにおいて実現されてもよい。
【０１２６】
上記実施形態がかなり詳細に説明されてきたが、上記開示が完全に認識されると、多数の変形及び修正が当業者にとって明らかになる。以下の特許請求の範囲は、全てのそのような変形及び修正を包含すると解釈されることを意図している。
【図１】
0006847503.tif 000002
【図２】
0006847503.tif 000003
【図３】
0006847503.tif 000004
【図４】
0006847503.tif 000005
【図５】
0006847503.tif 000006
【図６Ａ】
0006847503.tif 000007
【図６Ｂ】
0006847503.tif 000008
【図７】
0006847503.tif 000009
【図８】
0006847503.tif 000010
【図９】
0006847503.tif 000011
【図１０】
0006847503.tif 000012
【図１１】
0006847503.tif 000013
【図１２】
0006847503.tif 000014